(57)【要約】システムおよび方法が、コンテキスト用語、静的ナレッジグラフ、および時間的ナレッジグラフに基づいて、テキストセグメント内の曖昧な用語の意味を決定するために本明細書で提供される。これらのシステムおよび方法は、コンテキスト用語と関連付けられる第１のナレッジグラフにアクセスし、未知の用語の意味である潜在的用語を決定する。未知の用語の意味であり得る、複数の潜在的用語が第１のナレッジグラフの中にあることを決定することに応じて、システムおよび方法は、未知の用語の意味の曖昧性を除去するためのエンティティの間の関係の時間次元を考慮する。システムおよび方法は、テキストセグメントのタイムスタンプを決定し、第１のコンテキスト用語と関連付けられ、タイムスタンプに関連する第２のナレッジグラフにアクセスして、第１の未知の用語の意味である潜在的用語を決定することによって、これを達成する。
2019526131.tif 000002
【特許請求の範囲】
【請求項１】
時間的ナレッジグラフに基づいて、テキストセグメント内の曖昧な用語の意味を識別するための方法であって、前記方法は、
前記テキストセグメントと関連付けられるタイムスタンプを決定することと、
前記テキストセグメント内のコンテキスト用語と関連付けられ、前記タイムスタンプに関連する前記時間的ナレッジグラフにアクセスし、前記曖昧な用語の前記意味である潜在的用語を決定することによって、前記曖昧な用語の前記意味を決定することと
を含む、方法。
【請求項２】
テキストセグメント内の曖昧な用語の意味を識別するための方法であって、前記方法は、
前記テキストセグメント内の第１の未知の用語を識別することと、
第１のコンテキスト用語に関して前記テキストセグメントを分析することと、
前記第１のコンテキスト用語と関連付けられる第１のナレッジグラフにアクセスし、前記第１の未知の用語の意味である潜在的用語を識別することによって、前記第１の未知の用語の前記意味を決定することと、
前記第１のナレッジグラフが前記第１の未知の用語の前記意味であり得る１つを上回る潜在的用語を含むことを決定することに応答して、
前記テキストセグメントと関連付けられるタイムスタンプを決定することと、
前記第１のコンテキスト用語と関連付けられ、前記タイムスタンプに関連する第２のナレッジグラフにアクセスし、前記第１の未知の用語の前記意味である潜在的用語を決定することによって、前記第１の未知の用語の前記意味を決定することと
を含む、方法。
【請求項３】
前記第２のナレッジグラフは、特定の時間間隔と関連付けられ、前記特定の時間間隔の位置は、前記テキストセグメントの前記タイムスタンプに基づいて決定される、請求項２に記載の方法。
【請求項４】
前記第２のナレッジグラフと関連付けられる前記特定の時間間隔の持続時間は、前記第１のナレッジグラフと関連付けられる時間間隔の持続時間よりも短い、請求項３に記載の方法。
【請求項５】
前記第２のナレッジグラフと関連付けられる前記特定の時間間隔の前記位置は、前記第２のナレッジグラフと関連付けられる前記特定の時間間隔が前記タイムスタンプと重複するようなものである、請求項３に記載の方法。
【請求項６】
前記第２のナレッジグラフと関連付けられる前記特定の時間間隔の前記位置は、
前記第２のナレッジグラフと関連付けられる前記特定の時間間隔が、前記テキストセグメントの前記タイムスタンプに先行すること、および
前記第２のナレッジグラフと関連付けられる前記特定の時間間隔が、前記テキストセグメントの前記タイムスタンプの後に続くこと
のうちの１つである、請求項３に記載の方法。
【請求項７】
前記特定の時間間隔の持続時間は、前記テキストセグメントを分析することによって識別される時間インジケータに部分的に基づく、請求項３に記載の方法。
【請求項８】
前記特定の時間間隔の持続時間は、前記テキストセグメントのソースに部分的に基づく、請求項３に記載の方法。
【請求項９】
前記第１のナレッジグラフが、前記第１の未知の用語の前記意味であり得る、いかなる潜在的用語も含まないことを決定することと、
前記テキストセグメント内の第２のコンテキスト用語を識別することと、
前記第２のコンテキスト用語に基づいて、前記第１の未知の用語の前記意味を決定することと
をさらに含む、請求項２に記載の方法。
【請求項１０】
前記第２のナレッジグラフが前記第１の未知の用語の前記意味であり得る１つを上回る潜在的用語を含むことを決定することと、
前記特定の時間間隔の持続時間および前記特定の時間間隔の前記位置のうちの少なくとも１つを調節することと、
前記第１のコンテキスト用語および前記特定の時間間隔と関連付けられる第３のナレッジグラフにアクセスし、前記第１の未知の用語の前記意味である前記潜在的用語を決定することによって、前記第１の未知の用語の前記意味を決定することと
をさらに含む、請求項３に記載の方法。
【請求項１１】
前記第２のナレッジグラフが、前記第１の未知の用語の前記意味であり得る、いかなる潜在的用語も含まないことを決定することと、
前記特定の時間間隔の持続時間および前記特定の時間間隔の前記位置のうちの少なくとも１つを調節することと、
前記第１のコンテキスト用語および前記特定の時間間隔と関連付けられる第４のナレッジグラフにアクセスし、前記第１の未知の用語の前記意味である前記潜在的用語を決定することによって、前記第１の未知の用語の前記意味を決定することと
をさらに含む、請求項３に記載の方法。
【請求項１２】
テキストセグメント内の曖昧な用語の意味を識別するためのシステムであって、前記システムは、
制御回路であって、前記制御回路は、
前記テキストセグメント内の第１の未知の用語を識別することと、
第１のコンテキスト用語に関して前記テキストセグメントを分析することと、
前記第１のコンテキスト用語と関連付けられる第１のナレッジグラフにアクセスし、前記第１の未知の用語の意味である潜在的用語を識別することによって、前記第１の未知の用語の前記意味を決定することと、
前記第１のナレッジグラフが前記第１の未知の用語の前記意味であり得る１つを上回る潜在的用語を含むことを決定することに応答して、
前記テキストセグメントと関連付けられるタイムスタンプを決定することと、
前記第１のコンテキスト用語と関連付けられ、前記タイムスタンプに関連する第２のナレッジグラフにアクセスし、前記第１の未知の用語の前記意味である潜在的用語を決定することによって、前記第１の未知の用語の前記意味を決定することと
を行うように構成される、制御回路
を備える、システム。
【請求項１３】
前記第２のナレッジグラフは、特定の時間間隔と関連付けられ、前記特定の時間間隔の位置は、前記テキストセグメントの前記タイムスタンプに基づいて決定される、請求項１２に記載のシステム。
【請求項１４】
前記第２のナレッジグラフと関連付けられる前記特定の時間間隔の持続時間は、前記第１のナレッジグラフと関連付けられる時間間隔の持続時間よりも短い、請求項１３に記載のシステム。
【請求項１５】
前記第２のナレッジグラフと関連付けられる前記特定の時間間隔の前記位置は、前記第２のナレッジグラフと関連付けられる前記特定の時間間隔が前記タイムスタンプと重複するようなものである、請求項１３に記載のシステム。
【請求項１６】
前記第２のナレッジグラフと関連付けられる前記特定の時間間隔の前記位置は、
前記第２のナレッジグラフと関連付けられる前記特定の時間間隔が、前記テキストセグメントの前記タイムスタンプに先行すること、および
前記第２のナレッジグラフと関連付けられる前記特定の時間間隔が、前記テキストセグメントの前記タイムスタンプの後に続くこと
のうちの１つである、請求項１３に記載のシステム。
【請求項１７】
前記特定の時間間隔の持続時間は、前記テキストセグメントを分析することによって識別される、時間インジケータに部分的に基づく、請求項１３に記載のシステム。
【請求項１８】
前記特定の時間間隔の持続時間は、前記テキストセグメントのソースに部分的に基づく、請求項１３に記載のシステム。
【請求項１９】
前記第１のナレッジグラフが、前記第１の未知の用語の前記意味であり得る、いかなる潜在的用語も含まないことを決定することと、
前記テキストセグメント内の第２のコンテキスト用語を識別することと、
前記第２のコンテキスト用語に基づいて、前記第１の未知の用語の前記意味を決定することと
を行うように構成される、前記制御回路
をさらに備える、請求項１２に記載のシステム。
【請求項２０】
前記第２のナレッジグラフが前記第１の未知の用語の前記意味であり得る１つを上回る潜在的用語を含むことを決定することと、
前記特定の時間間隔の持続時間および前記特定の時間間隔の前記位置のうちの少なくとも１つを調節することと、
前記第１のコンテキスト用語および前記特定の時間間隔と関連付けられる第３のナレッジグラフにアクセスし、前記第１の未知の用語の前記意味である前記潜在的用語を決定することによって、前記第１の未知の用語の前記意味を決定することと
を行うように構成される、前記制御回路
をさらに備える、請求項１３に記載のシステム。
【請求項２１】
前記第２のナレッジグラフが、前記第１の未知の用語の前記意味であり得る、いかなる潜在的用語も含まないことを決定することと、
前記特定の時間間隔の持続時間および前記特定の時間間隔の前記位置のうちの少なくとも１つを調節することと、
前記第１のコンテキスト用語および前記特定の時間間隔と関連付けられる第４のナレッジグラフにアクセスし、前記第１の未知の用語の前記意味である前記潜在的用語を決定することによって、前記第１の未知の用語の前記意味を決定することと
を行うように構成される、前記制御回路
をさらに備える、請求項１３に記載のシステム。
【請求項２２】
テキストセグメント内の曖昧な用語の意味を識別するためのシステムであって、前記システムは、
前記テキストセグメント内の第１の未知の用語を識別するための手段と、
第１のコンテキスト用語に関して前記テキストセグメントを分析するための手段と、
前記第１のコンテキスト用語と関連付けられる第１のナレッジグラフにアクセスし、前記第１の未知の用語の意味である潜在的用語を識別することによって、前記第１の未知の用語の前記意味を決定するための手段と、
前記第１のナレッジグラフが前記第１の未知の用語の前記意味であり得る１つを上回る潜在的用語を含むことを決定することに応答して、
前記テキストセグメントと関連付けられるタイムスタンプを決定するための手段と、
前記第１のコンテキスト用語と関連付けられ、前記タイムスタンプに関連する第２のナレッジグラフにアクセスし、前記第１の未知の用語の前記意味である潜在的用語を決定することによって、前記第１の未知の用語の前記意味を決定するための手段と
を備える、システム。
【請求項２３】
前記第２のナレッジグラフは、特定の時間間隔と関連付けられ、前記特定の時間間隔の位置は、前記テキストセグメントの前記タイムスタンプに基づいて決定される、請求項２２に記載のシステム。
【請求項２４】
前記第２のナレッジグラフと関連付けられる前記特定の時間間隔の持続時間は、前記第１のナレッジグラフと関連付けられる時間間隔の持続時間よりも短い、請求項２３に記載のシステム。
【請求項２５】
前記第２のナレッジグラフと関連付けられる前記特定の時間間隔の前記位置は、前記第２のナレッジグラフと関連付けられる前記特定の時間間隔が前記タイムスタンプと重複するようなものである、請求項２３に記載のシステム。
【請求項２６】
前記第２のナレッジグラフと関連付けられる前記特定の時間間隔の前記位置は、
前記第２のナレッジグラフと関連付けられる前記特定の時間間隔が、前記テキストセグメントの前記タイムスタンプに先行すること、および
前記第２のナレッジグラフと関連付けられる前記特定の時間間隔が、前記テキストセグメントの前記タイムスタンプの後に続くこと
のうちの１つである、請求項２３に記載のシステム。
【請求項２７】
前記特定の時間間隔の持続時間は、前記テキストセグメントを分析することによって識別される、時間インジケータに部分的に基づく、請求項２３に記載のシステム。
【請求項２８】
前記特定の時間間隔の持続時間は、前記テキストセグメントのソースに部分的に基づく、請求項２３に記載のシステム。
【請求項２９】
前記第１のナレッジグラフが、前記第１の未知の用語の前記意味であり得る、いかなる潜在的用語も含まないことを決定するための手段と、
前記テキストセグメント内の第２のコンテキスト用語を識別するための手段と、
前記第２のコンテキスト用語に基づいて、前記第１の未知の用語の前記意味を決定するための手段と
をさらに備える、請求項２２に記載のシステム。
【請求項３０】
前記第２のナレッジグラフが前記第１の未知の用語の前記意味であり得る１つを上回る潜在的用語を含むことを決定するための手段と、
前記特定の時間間隔の持続時間および前記特定の時間間隔の前記位置のうちの少なくとも１つを調節するための手段と、
前記第１のコンテキスト用語および前記特定の時間間隔と関連付けられる第３のナレッジグラフにアクセスし、前記第１の未知の用語の前記意味である前記潜在的用語を決定することによって、前記第１の未知の用語の前記意味を決定するための手段と
をさらに備える、請求項２３に記載のシステム。
【請求項３１】
前記第２のナレッジグラフが、前記第１の未知の用語の前記意味であり得る、いかなる潜在的用語も含まないことを決定するための手段と、
前記特定の時間間隔の持続時間および前記特定の時間間隔の前記位置のうちの少なくとも１つを調節するための手段と、
前記第１のコンテキスト用語および前記特定の時間間隔と関連付けられる第４のナレッジグラフにアクセスし、前記第１の未知の用語の前記意味である前記潜在的用語を決定することによって、前記第１の未知の用語の前記意味を決定するための手段と
をさらに備える、請求項２３に記載のシステム。
【請求項３２】
メモリを備える非一過性の機械可読媒体であって、前記メモリは、テキストセグメント内の曖昧な用語の意味を識別するための前記メモリ上に符号化された命令を伴い、前記命令は、
前記テキストセグメント内の第１の未知の用語を識別する命令と、
第１のコンテキスト用語に関して前記テキストセグメントを分析する命令と、
前記第１のコンテキスト用語と関連付けられる第１のナレッジグラフにアクセスし、前記第１の未知の用語の意味である潜在的用語を識別することによって、前記第１の未知の用語の前記意味を決定する命令と、
前記第１のナレッジグラフが前記第１の未知の用語の前記意味であり得る１つを上回る潜在的用語を含むことを決定することに応答して、
前記テキストセグメントと関連付けられるタイムスタンプを決定する命令と、
前記第１のコンテキスト用語と関連付けられ、前記タイムスタンプに関連する第２のナレッジグラフにアクセスし、前記第１の未知の用語の前記意味である潜在的用語を決定することによって、前記第１の未知の用語の前記意味を決定する命令と
を備える、非一過性の機械可読媒体。
【請求項３３】
前記第２のナレッジグラフは、特定の時間間隔と関連付けられ、前記特定の時間間隔の位置は、前記テキストセグメントの前記タイムスタンプに基づいて決定される、請求項３２に記載の非一過性の機械可読媒体。
【請求項３４】
前記第２のナレッジグラフと関連付けられる前記特定の時間間隔の持続時間は、前記第１のナレッジグラフと関連付けられる時間間隔の持続時間よりも短い、請求項３３に記載の非一過性の機械可読媒体。
【請求項３５】
前記第２のナレッジグラフと関連付けられる前記特定の時間間隔の前記位置は、前記第２のナレッジグラフと関連付けられる前記特定の時間間隔が前記タイムスタンプと重複するようなものである、請求項３３に記載の非一過性の機械可読媒体。
【請求項３６】
前記第２のナレッジグラフと関連付けられる前記特定の時間間隔の前記位置は、
前記第２のナレッジグラフと関連付けられる前記特定の時間間隔が、前記テキストセグメントの前記タイムスタンプに先行すること、および
前記第２のナレッジグラフと関連付けられる前記特定の時間間隔が、前記テキストセグメントの前記タイムスタンプの後に続くこと
のうちの１つである、請求項３３に記載の非一過性の機械可読媒体。
【請求項３７】
前記特定の時間間隔の持続時間は、前記テキストセグメントを分析することによって識別される時間インジケータに部分的に基づく、請求項３３に記載の非一過性の機械可読媒体。
【請求項３８】
前記特定の時間間隔の持続時間は、前記テキストセグメントのソースに部分的に基づく、請求項３３に記載の非一過性の機械可読媒体。
【請求項３９】
前記第１のナレッジグラフが、前記第１の未知の用語の前記意味であり得る、いかなる潜在的用語も含まないことを決定する命令と、
前記テキストセグメント内の第２のコンテキスト用語を識別する命令と、
前記第２のコンテキスト用語に基づいて、前記第１の未知の用語の前記意味を決定する命令と
をさらに備える、請求項３２に記載の非一過性の機械可読媒体。
【請求項４０】
前記第２のナレッジグラフが前記第１の未知の用語の前記意味であり得る１つを上回る潜在的用語を含むことを決定する命令と、
前記特定の時間間隔の持続時間および前記特定の時間間隔の前記位置のうちの少なくとも１つを調節する命令と、
前記第１のコンテキスト用語および前記特定の時間間隔と関連付けられる第３のナレッジグラフにアクセスし、前記第１の未知の用語の前記意味である前記潜在的用語を決定することによって、前記第１の未知の用語の前記意味を決定する命令と
をさらに備える、請求項３３に記載の非一過性の機械可読媒体。
【請求項４１】
前記第２のナレッジグラフが、前記第１の未知の用語の前記意味であり得る、いかなる潜在的用語も含まないことを決定する命令と、
前記特定の時間間隔の持続時間および前記特定の時間間隔の前記位置のうちの少なくとも１つを調節する命令と、
前記第１のコンテキスト用語および前記特定の時間間隔と関連付けられる第４のナレッジグラフにアクセスし、前記第１の未知の用語の前記意味である前記潜在的用語を決定することによって、前記第１の未知の用語の前記意味を決定する命令と
をさらに備える、請求項３３に記載の非一過性の機械可読媒体。
【請求項４２】
テキストセグメント内の曖昧な用語の意味を識別するための方法であって、前記方法は、
前記テキストセグメント内の第１の未知の用語を識別することと、
第１のコンテキスト用語に関して前記テキストセグメントを分析することと、
前記第１のコンテキスト用語と関連付けられる第１のナレッジグラフにアクセスし、前記第１の未知の用語の意味である潜在的用語を識別することによって、前記第１の未知の用語の前記意味を決定することと、
前記第１のナレッジグラフが前記第１の未知の用語の前記意味であり得る１つを上回る潜在的用語を含むことを決定することに応答して、
前記テキストセグメントと関連付けられるタイムスタンプを決定することと、
前記第１のコンテキスト用語と関連付けられ、前記タイムスタンプに関連する第２のナレッジグラフにアクセスし、前記第１の未知の用語の前記意味である潜在的用語を決定することによって、前記第１の未知の用語の前記意味を決定することと
を含む、方法。
【請求項４３】
前記第２のナレッジグラフは、特定の時間間隔と関連付けられ、前記特定の時間間隔の位置は、前記テキストセグメントの前記タイムスタンプに基づいて決定される、請求項４２に記載の方法。
【請求項４４】
前記第２のナレッジグラフと関連付けられる前記特定の時間間隔の持続時間は、前記第１のナレッジグラフと関連付けられる時間間隔の持続時間よりも短い、請求項４３に記載の方法。
【請求項４５】
前記第２のナレッジグラフと関連付けられる前記特定の時間間隔の前記位置は、前記第２のナレッジグラフと関連付けられる前記特定の時間間隔が前記タイムスタンプと重複するようなものである、請求項４３−４４のいずれかに記載の方法。
【請求項４６】
前記第２のナレッジグラフと関連付けられる前記特定の時間間隔の前記位置は、
前記第２のナレッジグラフと関連付けられる前記特定の時間間隔が、前記テキストセグメントの前記タイムスタンプに先行すること、および
前記第２のナレッジグラフと関連付けられる前記特定の時間間隔が、前記テキストセグメントの前記タイムスタンプの後に続くこと
のうちの１つである、請求項４３−４４のいずれかに記載の方法。
【請求項４７】
前記特定の時間間隔の持続時間は、前記テキストセグメントを分析することによって識別される時間インジケータに部分的に基づく、請求項４３−４６のいずれかに記載の方法。
【請求項４８】
前記特定の時間間隔の持続時間は、前記テキストセグメントのソースに部分的に基づく、請求項４３−４７のいずれかに記載の方法。
【請求項４９】
前記第１のナレッジグラフが、前記第１の未知の用語の前記意味であり得る、いかなる潜在的用語も含まないことを決定することと、
前記テキストセグメント内の第２のコンテキスト用語を識別することと、
前記第２のコンテキスト用語に基づいて、前記第１の未知の用語の前記意味を決定することと
をさらに含む、請求項４２−４８のいずれかに記載の方法。
【請求項５０】
前記第２のナレッジグラフが前記第１の未知の用語の前記意味であり得る１つを上回る潜在的用語を含むことを決定することと、
前記特定の時間間隔の持続時間および前記特定の時間間隔の前記位置のうちの少なくとも１つを調節することと、
前記第１のコンテキスト用語および前記特定の時間間隔と関連付けられる第３のナレッジグラフにアクセスし、前記第１の未知の用語の前記意味である前記潜在的用語を決定することによって、前記第１の未知の用語の前記意味を決定することと
をさらに含む、請求項４３−４９のいずれかに記載の方法。
【請求項５１】
前記第２のナレッジグラフが、前記第１の未知の用語の前記意味であり得る、いかなる潜在的用語も含まないことを決定することと、
前記特定の時間間隔の持続時間および前記特定の時間間隔の前記位置のうちの少なくとも１つを調節することと、
前記第１のコンテキスト用語および前記特定の時間間隔と関連付けられる第４のナレッジグラフにアクセスし、前記第１の未知の用語の前記意味である前記潜在的用語を決定することによって、前記第１の未知の用語の前記意味を決定することと
をさらに含む、請求項４３−４９のいずれかに記載の方法。
【発明の詳細な説明】
【背景技術】
【０００１】
自然言語テキストの量は、急速に増加している。システムが、自然言語テキストを抽出し、カタログ化し、そこからの情報を利用するために、システムがテキスト内で提示される用語と関連付けられる意味を正しく識別することが必須である。これは、多くの用語が同一の共通コンポーネントを共有し、その結果として、自然言語テキスト内の多くの用語が曖昧であるため、困難なタスクである。自然言語テキスト内の曖昧な用語への意味の誤った割当は、自然言語処理の効率を減少させ、ユーザ体験に悪影響を及ぼし得る。例えば、自然言語テキスト内の曖昧な用語への意味の誤った割当は、自然言語処理に大きく依拠する、自然言語クエリの正確度を減少させ得る。
【発明の概要】
【課題を解決するための手段】
【０００２】
システムおよび方法が、コンテキスト用語、静的ナレッジグラフ、および時間的ナレッジグラフに基づいて、テキストセグメント内の曖昧な用語の意味を決定するために本明細書で提供される。これらのシステムおよび方法は、テキストセグメント内の未知の用語を識別することに応じて、コンテキスト用語に関してテキストセグメントを分析する。システムおよび方法は、コンテキスト用語と関連付けられる第１のナレッジグラフ（すなわち、静的ナレッジグラフ）にアクセスし、未知の用語の意味である潜在的用語を決定する。システムおよび方法は、未知の用語の意味であり得る、１つを上回る潜在的用語が第１のナレッジグラフの中にあることを決定することに応じて、未知の用語が曖昧な用語であることを決定する。この場合、システムおよび方法は、未知の用語の意味の曖昧性を除去するためのエンティティの間の関係の時間次元を考慮する。システムおよび方法は、テキストセグメントのタイムスタンプを決定し、第１のコンテキスト用語と関連付けられ、タイムスタンプに関連する第２のナレッジグラフ（すなわち、時間的ナレッジグラフ）にアクセスして、第１の未知の用語の意味である潜在的用語を決定することによって、これを達成する。
【０００３】
いくつかの側面では、双方向メディアガイドアプリケーションは、テキストセグメント内の第１の未知の用語を識別する。例えば、双方向メディアガイドアプリケーションは、ユーザのためにテキストセグメント「Ｂｅｒｎｉｅ  Ｓａｎｄｅｒｓ  ｈａｓ  ｃａｌｌｅｄ  ｏｕｔ  Ｃｌｉｎｔｏｎ  ｆｏｒ  ｓｏｌｉｃｉｔｉｎｇ  ｄｏｎａｔｉｏｎｓ  ｆｒｏｍ  ｂａｎｋｓ  ａｎｄ  ｃｏｒｐｏｒａｔｉｏｎｓ」を表示するために生成してもよい。双方向メディアガイドアプリケーションは、用語「Ｃｌｉｎｔｏｎ」が、その意味を提供する、それと関連付けられるメタデータまたは識別子タグを有していないことを決定してもよい。この場合、双方向メディアガイドアプリケーションは、用語「Ｃｌｉｎｔｏｎ」が未知の用語であることを決定する。双方向メディアガイドアプリケーションは、第１のコンテキスト用語に関してテキストセグメントを分析する。双方向メディアガイドアプリケーションは、テキストマイニング技法（例えば、名前を付けられたエンティティ認識、同一指示、感情分析、意味論分析等）を使用し、第１のコンテキスト用語を決定してもよい。例えば、双方向メディアガイドアプリケーションは、「Ｂｅｒｎｉｅ  Ｓａｎｄｅｒｓ」を第１のコンテキスト用語として識別する。
【０００４】
双方向メディアガイドアプリケーションは、第１のコンテキスト用語と関連付けられる第１のナレッジグラフにアクセスし、第１の未知の用語の意味である潜在的用語を識別することによって、第１の未知の用語の意味を決定する。ナレッジリポジトリは、数百万ものエンティティおよび他のエンティティとのそれらの関係についての情報を含有する。ナレッジリポジトリは、多種多様なソース（例えば、百科事典、Ｗｉｋｉｐｅｄｉａ、ニュース記事、ソーシャルメディア、および他の類似ソース）からのエンティティについての情報を含有し、エンティティと関連付けられる包括的ナレッジグラフを提供することができる。これらのナレッジグラフは、典型的には、全ての時間周期にわたって蓄積される、エンティティと他のエンティティとの間の全ての関係を含む。いくつかの実施形態では、双方向メディアガイドアプリケーションは、潜在的用語と未知の用語との間の類似性に基づいて、未知の用語の意味であり得る潜在的用語を識別してもよい。例えば、第１のコンテキスト用語「Ｂｅｒｎｉｅ  Ｓａｎｄｅｒｓ」と関連付けられる第１のナレッジグラフは、Ｗｉｋｉｐｅｄｉａ等の一般的ナレッジコーパスから導出されてもよい。双方向メディアガイドアプリケーションは、未知の用語「Ｃｌｉｎｔｏｎ」へのそれらの類似性により、用語「Ｂｉｌｌ  Ｃｌｉｎｔｏｎ」、「Ｈｉｌｌａｒｙ  Ｃｌｉｎｔｏｎ」、および「Ｒｙａｎ  Ｃｌｉｎｔｏｎ」を潜在的用語として識別してもよい。
【０００５】
いくつかの実施形態では、双方向メディアガイドアプリケーションは、第１のナレッジグラフ内の用語のメタデータ記述子を使用し、用語が潜在的用語であるかどうかを決定してもよい。例えば、第１のナレッジグラフは、用語「Ｓｅｃｒｅｔａｒｙ  ｏｆ  Ｓｔａｔｅ」を含んでもよく、関連付けられるメタデータの一部は、「Ｈｉｌｌａｒｙ  Ｃｌｉｎｔｏｎ」であってもよい。この場合、双方向メディアガイドアプリケーションは、「Ｓｅｃｒｅｔａｒｙ  ｏｆ  Ｓｔａｔｅ」を潜在的用語として決定してもよい。いくつかの実施形態では、双方向メディアガイドアプリケーションは、第２のステップとして用語と第１のコンテキスト用語との間の関連性の強度を使用し、最も可能性の高い潜在的用語を除外してもよい。関連性の強度は、ナレッジグラフ内の２つの用語の間の正規化された距離の逆数であってもよい。例えば、「Ｂｅｒｎｉｅ  Ｓａｎｄｅｒｓ」と、「Ｂｉｌｌ  Ｃｌｉｎｔｏｎ」、「Ｈｉｌｌａｒｙ  Ｃｌｉｎｔｏｎ」、「Ｒｙａｎ  Ｃｌｉｎｔｏｎ」、および「Ｓｅｃｒｅｔａｒｙ  ｏｆ  Ｓｔａｔｅ」のそれぞれとの間の関連性の正規化された強度は、それぞれ、０．７、０．７、０．２、および０．２である。関連性の要求される閾値強度が０．５である場合には、双方向メディアガイドアプリケーションは、第１のナレッジグラフに基づいて、用語「Ｂｉｌｌ  Ｃｌｉｎｔｏｎ」および「Ｈｉｌｌａｒｙ  Ｃｌｉｎｔｏｎ」が第１の未知の用語の意味であり得る潜在的用語であることを決定してもよい。
【０００６】
双方向メディアガイドアプリケーションは、第１のナレッジグラフが第１の未知の用語の意味であり得る１つを上回る潜在的用語を含むかどうかを決定する。例えば、双方向メディアガイドアプリケーションは、ブール比較関数を使用し、潜在的用語の数に対応するカウンタの値が１を上回るかどうかを決定してもよい。第１のナレッジグラフが第１の未知の用語の意味であり得る１つを上回る潜在的用語を含むことを決定するステップに応答して、双方向メディアガイドアプリケーションは、テキストセグメントと関連付けられるタイムスタンプを決定する。タイムスタンプは、テキストセグメントの起源およびコンテンツに応じて、任意の時間周期であり得る。例えば、テキストセグメントが２０１０年〜２０１６年の間の選挙運動寄付方針の変更を詳述するレポートである場合、タイムスタンプは、２０１０年〜２０１６年であってもよい。ソーシャルメディアステータス更新（例えば、Ｔｗｉｔｔｅｒ投稿）または自然言語クエリに関して、タイムスタンプは、更新またはクエリの正確な日付および時間であってもよい。タイムスタンプは、テキストセグメントのコンテンツが関連する時間についての情報を導出するために使用される。
【０００７】
双方向メディアガイドアプリケーションは、テキストセグメントと関連付けられるメタデータを使用し、タイムスタンプを決定してもよい。例えば、オンライン記事は、それらと関連付けられる起源の日付を有してもよい。代替として、双方向メディアガイドアプリケーションは、テキストマイニング技法を使用し、テキストセグメント自体から時間インジケータを抽出してもよい。例えば、テキストセグメントは、テキストセグメント内で詳述されるイベントの日付（例えば、「Ｏｎ  Ｊａｎｕａｒｙ  １１，  ２０１６，  Ｂｅｒｎｉｅ  Ｓａｎｄｅｒｓ  ｃａｌｌｅｄ  ｏｕｔ  Ｃｌｉｎｔｏｎ…」）またはタイムスタンプを推定するために使用され得る他の文脈情報（例えば、「Ｓｐｅａｋｉｎｇ  ｔｏ  ｈｉｓ  ｓｕｐｐｏｒｔｅｒｓ  ｏｎ  ｔｈｅ  ｃｏｌｄｅｓｔ  ｗｉｎｔｅｒ  ｄａｙ  ｒｅｃｏｒｄｅｄ  ｉｎ  ３０  ｙｅａｒｓ，  Ｂｅｒｎｉｅ  Ｓａｎｄｅｒｓ  ｃａｌｌｅｄ  ｏｕｔ  Ｃｌｉｎｔｏｎ…」）を含有してもよい。例えば、双方向メディアガイドアプリケーションは、テキストセグメントと関連付けられるタイムスタンプが２０１６年１月１１日であることを決定してもよい。
【０００８】
双方向メディアガイドアプリケーションは、第１のコンテキスト用語と関連付けられ、タイムスタンプに関連する第２のナレッジグラフにアクセスし、第１の未知の用語の意味である潜在的用語を決定することによって、第１の未知の用語の意味を決定する。エンティティの間の関連性は、経時的に変化する。第２のナレッジグラフは、全ての時間周期ではなくてタイムスタンプに関連する特定の時間と関連付けられるため、エンティティの間の関連性の時間次元を捕捉する。例えば、男子生徒「Ｒｙａｎ  Ｃｌｉｎｔｏｎ」が自分の昼食代をＢｅｒｎｉｅ  Ｓａｎｄｅｒｓの選挙運動に寄付したというニュースが、特定の１週間の間にトレンドになっていた場合、用語「Ｂｅｒｎｉｅ  Ｓａｎｄｅｒｓ」と「Ｒｙａｎ  Ｃｌｉｎｔｏｎ」との間の関連性は、その１週間と関連付けられるコーパスのみから導出されるナレッジグラフの中では強いであろう。しかしながら、同一の２つの用語の間の関連性は、全ての時間周期にわたってコーパスから導出されるナレッジグラフ（例えば、第１のナレッジグラフ）の中では弱いであろう。
【０００９】
双方向メディアガイドアプリケーションは、タイムスタンプに関連する第２のナレッジグラフにアクセスすることによって、テキストセグメントに関連する時間周期中に最も重要であった関連性を決定することができる。例えば、第１のコンテキスト用語「Ｂｅｒｎｉｅ  Ｓａｎｄｅｒｓ」と関連付けられ、タイムスタンプ２０１６年１月１１日に関連する、第２のナレッジグラフは、２０１６年１月１１日までの１週間の間のニュース記事、ソーシャルメディア、および他のコーパスからの情報を捕捉する、ナレッジグラフであってもよい。前述で議論された、双方向メディアガイドアプリケーションが第２のナレッジグラフから第１の未知の用語の意味である潜在的用語を決定し得る、技法は、ここで適用可能である。
【００１０】
いくつかの実施形態では、第２のナレッジグラフは、その位置がテキストセグメントのタイムスタンプに基づいて決定される、特定の時間間隔と関連付けられる。例えば、特定の時間間隔は、１週間であってもよい。特定の時間間隔は、デフォルト時間間隔であってもよい。特定の時間間隔を使用することによって、双方向メディアガイドアプリケーションは、ナレッジグラフが導出されるコーパスの量を限定し、トレンド関連性の識別を促進することができる。特定の時間間隔の位置は、第２のナレッジグラフがテキストセグメント内の曖昧な用語の曖昧性を除去することに役立つ可能性が最も高いコーパスから導出されることを確実にするように、タイムスタンプに基づいて決定される。タイムスタンプが２０１６年１月１１日であった、前の実施例から、双方向メディアガイドアプリケーションは、１週間の位置が２０１６年１月１１日までの１週間であると決定してもよい。この場合、双方向メディアガイドアプリケーションは、２０１６年１月４日〜１１日の１週間からのコーパスから導出される第２のナレッジグラフにアクセスするであろう。
【００１１】
いくつかの実施形態では、第２のナレッジグラフと関連付けられる特定の時間間隔の持続時間は、第１のナレッジグラフと関連付けられる時間間隔の持続時間よりも短い。例えば、第１のナレッジグラフは、何年にも及ぶコーパスから導出される静的ナレッジグラフであってもよい。第２のナレッジグラフは、一方で、ある日と関連付けられるコーパスから導出される時間的ナレッジグラフであってもよい。
【００１２】
いくつかの実施形態では、第２のナレッジグラフと関連付けられる特定の時間間隔の位置は、第２のナレッジグラフと関連付けられる特定の時間間隔がタイムスタンプと重複するようなものである。特定の時間間隔とタイムスタンプとの間の重複は、部分的または完全であり得る。例えば、タイムスタンプは、２０１６年１月１１日であってもよく、特定の時間間隔は、２０１６年１月７日〜１４日であってもよい。例えば、タイムスタンプは、２０１６年１月１１日〜３月１１日であってもよく、特定の時間間隔は、２０１６年１月１日〜３１日であってもよい。いくつかの実施形態では、第２のナレッジグラフと関連付けられる特定の時間間隔の位置は、第２のナレッジグラフと関連付けられる特定の時間間隔がテキストセグメントのタイムスタンプに先行するようなものである。例えば、曖昧な用語を含有するテキストセグメントは、２０１６年１月１１日に受信された過去のイベントについての自然言語クエリであってもよい。この場合、第２のナレッジグラフと関連付けられる特定の時間間隔は、２０１６年１月３日〜６日であってもよい。いくつかの実施形態では、第２のナレッジグラフと関連付けられる特定の時間間隔の位置は、第２のナレッジグラフと関連付けられる特定の時間間隔がテキストセグメントのタイムスタンプの後に続くようなものである。例えば、曖昧な用語を含有するテキストセグメントは、２０１６年１月１１日午後３時３３分のソーシャルメディア投稿であってもよい。双方向メディアガイドアプリケーションは、最初のソーシャルメディア投稿に応答して書かれたソーシャルメディア投稿が、第２のナレッジグラフを導出する最良のコーパスであろうことを決定してもよい。故に、第２のナレッジグラフと関連付けられる特定の時間間隔は、２０１６年１月１１日午後３時３４分〜午後６時であってもよい。
【００１３】
いくつかの実施形態では、特定の時間間隔の持続時間は、テキストセグメントを分析することによって識別される、時間インジケータに部分的に基づく。例えば、双方向メディアガイドアプリケーションは、テキストマイニング技法を使用し、テキストセグメント内に存在し得、曖昧な用語と関連付けられ得る、時間インジケータ（例えば、今日、１週間の間、先月の全体、過去２年の間等）を識別してもよい。例えば、双方向メディアガイドアプリケーションは、自然言語クエリ「Ｗｈａｔ  ｄｉｄ  Ｃｌｉｎｔｏｎ  ｓａｙ  ｔｏ  Ｂｅｒｎｉｅ  Ｓａｎｄｅｒｓ  ａｔ  ｔｈｅ  ｆｕｎｄ  ｒａｉｓｅｒ  ｔｏｄａｙ？」を分析し、「ｔｏｄａｙ」が曖昧な用語「Ｃｌｉｎｔｏｎ」と関連付けられる時間インジケータであることを決定してもよい。双方向メディアガイドアプリケーションは、時間インジケータ「ｔｏｄａｙ」に基づいて、特定の時間間隔の持続時間が１日であるはずであることを決定してもよい。
【００１４】
いくつかの実施形態では、特定の時間間隔の持続時間は、テキストセグメントのソースに部分的に基づく。例えば、双方向メディアガイドアプリケーションは、テキストセグメントのソースが日刊新聞（例えば、Ｎｅｗ  Ｙｏｒｋ  Ｔｉｍｅｓ）であることを決定してもよい。この場合、双方向メディアガイドアプリケーションは、日刊新聞が過去数日の間に起こったイベントを参照する可能性が最も高いため、１週間であるように特定の時間間隔の持続時間を設定してもよい。テキストセグメントのソースが、議論されている話題がより頻繁に変化するマイクロブログプラットフォーム（例えば、Ｔｗｉｔｔｅｒ）であることを、双方向メディアガイドアプリケーションが決定する場合、双方向メディアガイドアプリケーションは、１日であるように特定の時間間隔の持続時間を設定してもよい。ユーザから受信される自然言語クエリに関して、双方向メディアガイドアプリケーションは、（例えば、ユーザプロファイル情報を使用することによって）ユーザを識別してもよい。双方向メディアガイドアプリケーションは、次いで、ユーザと関連付けられる情報（例えば、ユーザプロファイルと関連付けられるクエリ履歴、メディア消費パターン、および他のそのような情報）を使用し、特定の時間間隔の持続時間を決定してもよい。例えば、双方向メディアガイドアプリケーションは、クエリがユーザＴｏｍｍｙから受信されることを決定してもよい。双方向メディアガイドアプリケーションは、Ｔｏｍｍｙのユーザプロファイルから、彼が主に日刊新聞を読み、これらの新聞の中のイベントに関連する頻繁なクエリを有することを決定してもよい。この場合、双方向メディアガイドアプリケーションは、Ｔｏｍｍｙのクエリの中の曖昧な用語が最近のイベントを指す可能性が最も高いことを決定し、１週間であるように特定の時間間隔を設定してもよい。
【００１５】
いくつかの実施形態では、双方向メディアガイドアプリケーションは、第１のナレッジグラフが、第１の未知の用語の意味であり得る、いかなる潜在的用語も含まないことを決定する。例えば、テキストセグメント「Ｍｅｇａｎ  Ｋｅｌｌｙ，  Ｂｅｒｎｉｅ  Ｓａｎｄｅｒ，  ａｎｄ  Ｃｌｉｎｔｏｎ  ｗｅｒｅ  ａｌｌ  ａｔ  ｔｈｅ  ｄｅｂａｔｅ」に関して、双方向メディアガイドアプリケーションは、「Ｃｌｉｎｔｏｎ」を未知の用語として、「Ｍｅｇａｎ  Ｋｅｌｌｙ」を第１のコンテキスト用語として識別してもよい。双方向メディアガイドアプリケーションは、第１のコンテキスト用語「Ｍｅｇａｎ  Ｋｅｌｌｙ」と関連付けられる第１のナレッジグラフにアクセスし、未知の用語「Ｃｌｉｎｔｏｎ」の意味であり得る潜在的用語が第１のナレッジグラフの中にないことを決定してもよい。双方向メディアガイドアプリケーションは、次いで、テキストセグメント内の第２のコンテキスト用語を識別してもよい。例えば、双方向メディアガイドアプリケーションは、「Ｂｅｒｎｉｅ  Ｓａｎｄｅｒｓ」を第２のコンテキスト用語として識別してもよい。
【００１６】
いくつかの実施形態では、双方向メディアガイドアプリケーションは、第２のコンテキスト用語に基づいて、第１の未知の用語の意味を決定する。この場合、双方向メディアガイドアプリケーションは、Ｂｅｒｎｉｅ  Ｓａｎｄｅｒｓと関連付けられるナレッジグラフにアクセスすることによって、第２のコンテキスト用語「Ｂｅｒｎｉｅ  Ｓａｎｄｅｒｓ」に基づいて第１の未知の用語「Ｃｌｉｎｔｏｎ」の意味を決定してもよい。用語「Ｃｌｉｎｔｏｎ」が曖昧であると決定することに応じて、双方向メディアガイドアプリケーションは、用語「Ｂｅｒｎｉｅ  Ｓａｎｄｅｒｓ」と関連付けられ、テキストセグメントのタイムスタンプと関連付けられるスタンプに関連する、別のナレッジグラフにアクセスし、用語「Ｃｌｉｎｔｏｎ」の意味を決定してもよい。
【００１７】
いくつかの実施形態では、双方向メディアガイドアプリケーションは、第２のナレッジグラフが第１の未知の用語の意味であり得る１つを上回る潜在的用語を含むことを決定してもよい。例えば、テキストセグメント「Ｂｅｒｎｉｅ  Ｓａｎｄｅｒｓ  ｈａｓ  ｊｕｓｔ  ｃａｌｌｅｄ  ｏｕｔ  Ｃｌｉｎｔｏｎ  ｆｏｒ  ｓｏｌｉｃｉｔｉｎｇ  ｄｏｎａｔｉｏｎｓ  ｆｒｏｍ  ｂａｎｋｓ  ａｎｄ  ｃｏｒｐｏｒａｔｉｏｎｓ」に関して、双方向メディアガイドアプリケーションは、第２のナレッジグラフが用語「Ｈｉｌｌａｒｙ  Ｃｌｉｎｔｏｎ」および「Ｂｉｌｌ  Ｃｌｉｎｔｏｎ」を含有し、その両方が第１の未知の用語の意味であり得ることを決定してもよい。いくつかの実施形態では、双方向メディアガイドアプリケーションは、特定の時間間隔の持続時間および特定の時間間隔の位置のうちの少なくとも１つを調節してもよい。双方向メディアガイドアプリケーションは、位置を一定に保ちながら、特定の時間間隔の持続時間を変更（すなわち、増加または減少）してもよい。代替として、双方向メディアガイドアプリケーションは、特定の時間間隔の位置を変更しながら、特定の時間間隔の持続時間を一定に保ってもよい。いくつかの実施形態では、双方向メディアガイドアプリケーションは、特定の時間間隔の持続時間および位置の両方を変更してもよい。
【００１８】
例えば、テキストセグメントのタイムスタンプは、２０１６年１月１１日となっている場合があり、特定の時間間隔の持続時間は、１週間となっている場合があり、特定の時間間隔の位置は、その終点がタイムスタンプと一致するようなものとなっている場合がある。この場合、第２のナレッジグラフは、２０１６年１月５日〜１１日のコーパスから導出されるであろう。本第２のナレッジグラフが、第１の未知の用語「Ｃｌｉｎｔｏｎ」の意味であり得る１つを上回る潜在的用語を含むため、双方向メディアガイドアプリケーションは、特定の時間間隔がここで、（例えば、外来コーパスの量を限定するために）２０１６年１月９日〜１１日に及ぶように、３日であるように特定の時間間隔の持続時間を減少させてもよい。代替として、双方向メディアガイドアプリケーションは、特定の時間間隔の持続時間を７日において一定に保ち、特定の時間間隔の始点がタイムスタンプと一致する（すなわち、特定の時間間隔がここで２０１６年１月１１日〜１７日である）ように、位置を変更してもよい。
【００１９】
いくつかの実施形態では、双方向メディアガイドアプリケーションは、第１のコンテキスト用語および特定の時間間隔と関連付けられる第３のナレッジグラフにアクセスし、第１の未知の用語の意味である潜在的用語を決定することによって、第１の未知の用語の意味を決定してもよい。例えば、双方向メディアガイドアプリケーションは、調節された特定の時間間隔２０１６年１月９日〜１１日と関連付けられる第３のナレッジグラフにアクセスし、第１の未知の用語「Ｃｌｉｎｔｏｎ」の意味である潜在的用語を決定してもよい。前述で議論された、双方向メディアガイドアプリケーションが第３のナレッジグラフから第１の未知の用語の意味である潜在的用語を決定し得る、技法は、ここで適用可能である。
【００２０】
いくつかの実施形態では、双方向メディアガイドアプリケーションは、第２のナレッジグラフが、第１の未知の用語の意味であり得る、いかなる潜在的用語も含まないことを決定する。例えば、双方向メディアガイドアプリケーションは、未知の用語「Ｃｌｉｎｔｏｎ」に類似する用語が第２のナレッジグラフの中にないことを決定してもよい。双方向メディアガイドアプリケーションは、特定の時間間隔の持続時間および特定の時間間隔の位置のうちの少なくとも１つを調節してもよい。前の実施例から、特定の時間間隔は、２０１６年１月５日〜１１日であってもよい。双方向メディアガイドアプリケーションは、特定の時間間隔の持続時間を２週間まで増加させ、さらなるコーパスを組み込んでもよい。この場合、特定の時間間隔はここで、２０１５年１２月２９日〜２０１６年１月１１日に及ぶ。
【００２１】
いくつかの実施形態では、双方向メディアガイドアプリケーションは、第１のコンテキスト用語および特定の時間間隔と関連付けられる第４のナレッジグラフにアクセスし、第１の未知の用語の意味である潜在的用語を決定することによって、第１の未知の用語の意味を決定してもよい。例えば、双方向メディアガイドアプリケーションは、調節された特定の時間間隔２０１５年１２月２９日〜２０１６年１月１１日と関連付けられる第４のナレッジグラフにアクセスし、第１の未知の用語「Ｃｌｉｎｔｏｎ」の意味である潜在的用語を決定してもよい。
【００２２】
自然言語テキストの量が増加すると、用語と関連付けら得る意味の数が増加し、曖昧な用語の数の増加をもたらす。これは、曖昧な用語と関連付けられる正しい意味を識別するタスクをより複雑にする。例えば、システムは、自然言語テキストクエリ「Ｗｈｏ  ａｒｅ  ｔｈｅ  ｍａｊｏｒ  ｄｏｎｏｒｓ  ｆｏｒ  Ｂｅｒｎｉｅ  Ｓａｎｄｅｒｓ  ａｎｄ  Ｃｌｉｎｔｏｎ  ｃａｍｐａｉｇｎｓ？」を受信してもよい。この場合、システムが、間違った回答を提供する確率を最小限にするために、クエリの中で参照されているいずれかの「Ｃｌｉｎｔｏｎ」を識別することが必要である。同様に、システムがテキストセグメント「Ｃｌｉｎｔｏｎ  ｒｅｃｅｉｖｅｄ  ａ  ｍａｊｏｒ  ｄｏｎａｔｉｏｎ  ｆｒｏｍ  ｔｈｅ  Ｋｏｃｈ  ｂｒｏｔｈｅｒｓ」を分析している場合、システムは、テキストセグメントの中で参照されているいずれかの「Ｃｌｉｎｔｏｎ」を決定し、「Ｋｏｃｈ  ｂｒｏｔｈｅｒｓ」がクエリ結果の中に含まれるはずであるかどうかを決定しなければならない。曖昧な用語への意味の誤った割当は、自然言語処理の効率を減少させ、ユーザ体験に悪影響を及ぼし得る。
【００２３】
従来のシステムは、コンテキスト用語および全ての時間周期と関連付けられるナレッジグラフ（例えば、静的ナレッジグラフ）を使用して、テキストセグメント内の曖昧な用語の意味を識別することに限定される。しかしながら、用語の間の関連性が経時的に変化し、静的ナレッジグラフが本時間次元を捕捉することができないため、従来のシステムは、所与の時点で最も関連する関連性を識別することができない。その結果として、従来のシステムは、主要な推論に失敗し、誤った意味を曖昧な用語に頻繁に割り当てる。
【００２４】
本明細書で提供されるシステムおよび方法は、コンテキスト用語、静的ナレッジグラフ、および時間的ナレッジグラフを使用し、テキストセグメント内の曖昧な用語の意味を識別することによって、本問題に対処する。時間的ナレッジグラフは、特定の時間周期中に、コンテキスト用語と曖昧な用語の種々の意味との間の関係を捕捉する。テキストセグメントのタイムスタンプに関連する時間的ナレッジグラフを使用することによって、システムおよび方法は、テキストセグメントの時間において最も関連したいずれかの関連性を識別し、これらの関連性に基づいて曖昧な用語の意味を決定することができる。
【００２５】
上記に説明されるシステム、方法、装置、および／または側面は、本開示に説明される他のシステム、方法、装置、および／または側面に適用され得る、もしくはそれらに従って使用され得ることに留意されたい。
【図面の簡単な説明】
【００２６】
本開示の上記および他の目的ならびに利点は、同様の参照文字が全体を通して同様の部品を指す、添付図面と併せて解釈される、以下の発明を実施するための形態の考慮に応じて、明白となるであろう。
【００２７】
【図１】図１は、本開示のいくつかの実施形態による、双方向メディアガイドアプリケーションの例証的表示を描写する。
【００２８】
【図２】図２は、本開示のいくつかの実施形態による、双方向メディアガイドアプリケーションの別の例証的表示を描写する。
【００２９】
【図３】図３は、本開示のいくつかの実施形態による、双方向メディアガイドアプリケーションのさらに別の例証的表示を描写する。
【００３０】
【図４】図４は、本開示のいくつかの実施形態による、テキストセグメント内の第１のコンテキスト用語と関連付けられるナレッジグラフの一部の例証的実施形態を示す。
【００３１】
【図５】図５は、本開示のいくつかの実施形態による、テキストセグメント内の第１のコンテキスト用語と関連付けられるナレッジグラフの一部の別の例証的実施形態を示す。
【００３２】
【図６】図６は、本開示のいくつかの実施形態による、メディアガイドアプリケーション一覧および他のメディアガイド情報を提供するために使用され得る、表示画面の例証的実施形態を示す。
【００３３】
【図７】図７は、本開示のいくつかの実施形態による、メディアガイドアプリケーション一覧を提供するために使用され得る、表示画面の別の例証的実施形態を示す。
【００３４】
【図８】図８は、本開示のいくつかの実施形態による、例証的ユーザ機器（ＵＥ）デバイスのブロック図である。
【００３５】
【図９】図９は、本開示のいくつかの実施形態による、例証的メディアシステムのブロック図である。
【００３６】
【図１０】図１０は、本開示のいくつかの実施形態による、第１のコンテキスト用語および時間的ナレッジグラフに基づいて、テキストセグメント内の第１の未知の用語の意味を決定することに関与する例証的ステップのフローチャートである。
【００３７】
【図１１】図１１は、本開示のいくつかの実施形態による、第１のコンテキスト用語と関連付けられ、テキストセグメントのタイムスタンプに関連する第２のナレッジグラフにアクセスすることによって、第１の未知の用語の意味を決定するときに、ステップ１０１８（図１０）に関与する例証的ステップのフローチャートである。
【発明を実施するための形態】
【００３８】
説明されるシステムおよび方法は、コンテキスト用語、静的ナレッジグラフ、および時間的ナレッジグラフに基づいて、テキストセグメント内の曖昧な用語の意味を決定するステップを提供する。これらのシステムおよび方法は、テキストセグメント内の未知の用語を識別することに応じて、コンテキスト用語に関してテキストセグメントを分析する。システムおよび方法は、コンテキスト用語と関連付けられる第１のナレッジグラフ（すなわち、静的ナレッジグラフ）にアクセスし、未知の用語の意味である潜在的用語を決定する。システムおよび方法は、未知の用語の意味であり得る、１つを上回る潜在的用語が第１のナレッジグラフの中にあることを決定することに応じて、未知の用語が曖昧な用語であることを決定する。この場合、システムおよび方法は、未知の用語の意味の曖昧性を除去するためのエンティティの間の関係の時間次元を考慮する。システムおよび方法は、テキストセグメントのタイムスタンプを決定し、第１のコンテキスト用語と関連付けられ、タイムスタンプに関連する第２のナレッジグラフ（すなわち、時間的ナレッジグラフ）にアクセスして、第１の未知の用語の意味である潜在的用語を決定することによって、これを達成する。
【００３９】
本明細書で参照されるように、「双方向メディアガイドアプリケーション」、または「メディアガイドアプリケーション」、もしくは時として、「ガイドアプリケーション」は、ユーザが、コンテンツを消費する、および／またはそれにナビゲートすることを可能にする、アプリケーションである。いくつかの実施形態では、メディアガイドアプリケーションは、オンラインアプリケーション（すなわち、ウェブサイト上で提供される）として、またはサーバもしくはユーザデバイス上の独立型アプリケーションとして、提供されてもよい。いくつかの実施形態では、種々のデバイスおよびプラットフォーム上にインストールされる制御回路は、以下でさらに詳細に説明されるように、メディアガイドアプリケーションを実行してもよい。いくつかの実施形態では、メディアガイドアプリケーションおよび／または本明細書で議論される実施形態のいずれかを実施するための任意の命令は、コンピュータ可読媒体上に符号化されてもよい。コンピュータ可読媒体は、データを記憶することが可能な任意の媒体を含む。コンピュータ可読媒体は、限定されないが、電気もしくは電磁信号の伝搬を含む、一過性であり得る、または限定されないが、ハードディスク、フロッピー（登録商標）ディスク、ＵＳＢドライブ、ＤＶＤ、ＣＤ、メディアカード、レジスタメモリ、プロセッサキャッシュ、ランダムアクセスメモリ（「ＲＡＭ」）等の揮発性および不揮発性コンピュータメモリもしくは記憶デバイスを含む、非一過性であり得る。
【００４０】
図１は、本開示のいくつかの実施形態による、双方向メディアガイドアプリケーションの例証的表示を描写する。図１は、任意のユーザデバイス（例えば、以下の図９に説明される、ユーザテレビ機器９０２、ユーザコンピュータ機器９０４、または無線ユーザ通信デバイス９０６）上に表示され得る、例証的表示１００を描写する。制御回路８０４は、図１０−１１に説明されるプロセスのうちの１つ以上のものを使用して、表示をディスプレイ８１２上に表示させてもよい。
【００４１】
表示１００は、テキストセグメントをユーザに提示するための双方向メディアガイドアプリケーションによって生成される表示の実施例である。表示１００は、テキストセグメント「Ｂｅｒｎｉｅ  Ｓａｎｄｅｒｓ  ｈａｓ  ｊｕｓｔ  ｃａｌｌｅｄ  ｏｕｔ  Ｃｌｉｎｔｏｎ  ｆｏｒ  ｓｏｌｉｃｉｔｉｎｇ  ｄｏｎａｔｉｏｎｓ  ｆｒｏｍ  ｂａｎｋｓ  ａｎｄ  ｃｏｒｐｏｒａｔｉｏｎｓ」１０２を含む。双方向メディアガイドアプリケーションは、テキストセグメント「Ｂｅｒｎｉｅ  Ｓａｎｄｅｒｓ  ｈａｓ  ｊｕｓｔ  ｃａｌｌｅｄ  ｏｕｔ  Ｃｌｉｎｔｏｎ  ｆｏｒ  ｓｏｌｉｃｉｔｉｎｇ  ｄｏｎａｔｉｏｎｓ  ｆｒｏｍ  ｂａｎｋｓ  ａｎｄ  ｃｏｒｐｏｒａｔｉｏｎｓ」１０２内で第１の未知の用語を識別する。双方向メディアガイドアプリケーションは、用語「Ｃｌｉｎｔｏｎ」１０６が、その意味を提供する、それと関連付けられるメタデータまたは識別子タグを有していないことを決定してもよい。この場合、双方向メディアガイドアプリケーションは、用語「Ｃｌｉｎｔｏｎ」１０６が第１の未知の用語であることを決定する。双方向メディアガイドアプリケーションは、第１のコンテキスト用語に関してテキストセグメント「Ｂｅｒｎｉｅ  Ｓａｎｄｅｒｓ  ｈａｓ  ｊｕｓｔ  ｃａｌｌｅｄ  ｏｕｔ  Ｃｌｉｎｔｏｎ  ｆｏｒ  ｓｏｌｉｃｉｔｉｎｇ  ｄｏｎａｔｉｏｎｓ  ｆｒｏｍ  ｂａｎｋｓ  ａｎｄ  ｃｏｒｐｏｒａｔｉｏｎｓ」１０２を分析する。双方向メディアガイドアプリケーションは、テキストマイニング技法（例えば、名前を付けられたエンティティ認識、同一指示、感情分析、意味論分析、および他のテキストマイニング技法）を使用し、第１のコンテキスト用語を決定してもよい。例えば、双方向メディアガイドアプリケーションは、「Ｂｅｒｎｉｅ  Ｓａｎｄｅｒｓ」１０４を第１のコンテキスト用語として識別する。表示１００はまた、テキストセグメント「Ｂｅｒｎｉｅ  Ｓａｎｄｅｒｓ  ｈａｓ  ｊｕｓｔ  ｃａｌｌｅｄ  ｏｕｔ  Ｃｌｉｎｔｏｎ  ｆｏｒ  ｓｏｌｉｃｉｔｉｎｇ  ｄｏｎａｔｉｏｎｓ  ｆｒｏｍ  ｂａｎｋｓ  ａｎｄ  ｃｏｒｐｏｒａｔｉｏｎｓ」１０２と関連付けられるタイムスタンプ「Ｊａｎｕａｒｙ  １１，  ２０１６」も含む。
【００４２】
図２は、本開示のいくつかの実施形態による、双方向メディアガイドアプリケーションの別の例証的表示を描写する。図２は、任意のユーザデバイス（例えば、以下の図９に説明される、ユーザテレビ機器９０２、ユーザコンピュータ機器９０４、または無線ユーザ通信デバイス９０６）上に表示され得る、例証的表示２００を描写する。制御回路８０４は、図１０−１１に説明されるプロセスのうちの１つ以上のものを使用して、表示をディスプレイ８１２上に表示させてもよい。
【００４３】
表示２００は、テキストセグメント内の第１の未知の用語の意味をユーザに提示するための双方向メディアガイドアプリケーションによって生成される表示の実施例である。双方向メディアガイドアプリケーションは、第１のコンテキスト用語「Ｂｅｒｎｉｅ  Ｓａｎｄｅｒｓ」１０４ならびに第１および第２のナレッジグラフを使用して、第１の未知の用語「Ｃｌｉｎｔｏｎ」２０２の意味が「Ｈｉｌｌａｒｙ  Ｃｌｉｎｔｏｎ」２０４であることを決定してもよい。双方向メディアガイドアプリケーションは、ユーザがユーザ入力インターフェース８１０を介して第１の未知の用語「Ｃｌｉｎｔｏｎ」２０２を選択するときに、ポップアップ表示として意味「Ｈｉｌｌａｒｙ  Ｃｌｉｎｔｏｎ」２０４を表示してもよい。双方向メディアガイドアプリケーションはまた、ユーザからいかなる入力も要求することなく、意味「Ｈｉｌｌａｒｙ  Ｃｌｉｎｔｏｎ」２０４を表示するために生成してもよい。
【００４４】
図３は、本開示のいくつかの実施形態による、双方向メディアガイドアプリケーションの別の例証的表示を描写する。図３は、任意のユーザデバイス（例えば、以下の図９に説明される、ユーザテレビ機器９０２、ユーザコンピュータ機器９０４、または無線ユーザ通信デバイス９０６）上に表示され得る、例証的表示３００を描写する。制御回路８０４は、図１０−１１に説明されるプロセスのうちの１つ以上のものを使用して、表示をディスプレイ８１２上に表示させてもよい。
【００４５】
表示３００は、テキストセグメント内の第１の未知の用語の意味をユーザに提示するための双方向メディアガイドアプリケーションによって生成される表示の別の実施例である。いくつかの実施形態では、双方向メディアガイドアプリケーションは、テキストセグメント「Ｂｅｒｎｉｅ  Ｓａｎｄｅｒｓ  ｈａｓ  ｊｕｓｔ  ｃａｌｌｅｄ  ｏｕｔ  Ｃｌｉｎｔｏｎ  ｆｏｒ  ｓｏｌｉｃｉｔｉｎｇ  ｄｏｎａｔｉｏｎｓ  ｆｒｏｍ  ｂａｎｋｓ  ａｎｄ  ｃｏｒｐｏｒａｔｉｏｎｓ」１０２内の第１の未知の用語「Ｃｌｉｎｔｏｎ」１０６を意味「Ｈｉｌｌａｒｙ  Ｃｌｉｎｔｏｎ」３０２と置換してもよい。
【００４６】
双方向メディアガイドアプリケーションは、第１のコンテキスト用語と関連付けられる第１のナレッジグラフにアクセスし、第１の未知の用語の意味である潜在的用語を識別することによって、第１の未知の用語の意味を決定する。例えば、第１のコンテキスト用語「Ｂｅｒｎｉｅ  Ｓａｎｄｅｒｓ」１０４と関連付けられる第１のナレッジグラフは、Ｗｉｋｉｐｅｄｉａ等の一般的なナレッジコーパスから導出されてもよい。
【００４７】
図４は、本開示のいくつかの実施形態による、テキストセグメント内の第１のコンテキスト用語と関連付けられるナレッジグラフの一部の例証的実施形態を示す。ナレッジグラフおよびそれらの特徴は、参照することによりそれらの全体として本明細書に組み込まれる、２０１４年９月３０日に出願された米国特許出願第１４／５０１，５０４号、２０１４年９月２９、３０日に出願された米国特許出願第１４／５００，３０９号、および２０１４年７月３１日に米国特許出願第１４／４４８，３０８号でさらに詳細に説明される。ナレッジグラフ４００は、多数のエンティティおよび他のエンティティとのそれらの関係についての情報を提供し、多種多様なソースからのコーパスから導出されてもよい。ナレッジグラフ４００は、異なるエンティティの間の関係についての情報を表す、ノードおよびエッジから成る。描写されるナレッジグラフ４００は、ノードおよびエッジを備えるが、これは、例証的実施形態にすぎない。ナレッジグラフ４００は、本発明の範囲から逸脱することなく、異なるエンティティの間の関係の別の好適な表現モードを備えることができる。例えば、ナレッジグラフ４００は、オブジェクトおよびそれらの関連付けられる関係を表す、データベース、リスト、および収集を含んでもよい。
【００４８】
ナレッジグラフ４００は、記憶回路８０８を使用して記憶されてもよい。リンクされたリスト、ツリー、グラフ、バケット、またはアレイ等のデータ構造は、記憶回路８０８内のナレッジグラフ４００を表すために使用されてもよい。ナレッジグラフ４００は、ユーザ機器デバイス８００上でローカルに記憶されてもよい、または遠隔に記憶され、通信ネットワーク９１４を通してアクセスされてもよい。ナレッジグラフ４００は、１つの場所に完全に記憶されてもよい、またはセクションに分割されてもよく、各セクションは、複数の場所のうちの１つに記憶されてもよい。いくつかの実施形態では、ナレッジグラフ４００は、メディアコンテンツソース９１６およびメディアガイドデータソース９１８からのコンテンツを使用して、要求に応じて動的に生成されてもよい。
【００４９】
ナレッジグラフ４００は、双方向メディアガイドアプリケーションによってアクセスされる、第１のコンテキスト用語「Ｂｅｒｎｉｅ  Ｓａｎｄｅｒｓ」１０４と関連付けられる第１のナレッジグラフの実施例である。ナレッジグラフ４００は、第１のコンテキスト用語「Ｂｅｒｎｉｅ  Ｓａｎｄｅｒｓ」１０４に対応するノード「Ｂｅｒｎｉｅ  Ｓａｎｄｅｒｓ」４０２を含む。ナレッジグラフ４００はまた、ノード「Ｈｉｌｌａｒｙ  Ｃｌｉｎｔｏｎ」  ４０４と、ノード「Ｂｉｌｌ  Ｃｌｉｎｔｏｎ」４０６と、ノード「Ｒｙａｎ  Ｃｌｉｎｔｏｎ」４０８と、ノード「Ｖｅｒｍｏｎｔ」４１０と、ノード「Ｓｅｎａｔｏｒ」４１２と、ノード「Ｉｎｃｏｍｅ  ｉｎｅｑｕａｌｉｔｙ」４１４とを含む。双方向メディアガイドアプリケーションは、ナレッジグラフ４００内で、潜在的用語と未知の用語との間の類似性に基づいて、未知の用語の意味であり得る潜在的用語を識別してもよい。双方向メディアガイドアプリケーションは、第１の未知の用語「Ｃｌｉｎｔｏｎ」１０６へのそれらの類似性により、ノード「Ｂｉｌｌ  Ｃｌｉｎｔｏｎ」４０６、ノード「Ｈｉｌｌａｒｙ  Ｃｌｉｎｔｏｎ」４０４、およびノード「Ｒｙａｎ  Ｃｌｉｎｔｏｎ」４０８を潜在的用語として識別してもよい。
【００５０】
いくつかの実施形態では、双方向メディアガイドアプリケーションは、第２のステップとして用語と第１のコンテキスト用語との間の関連性の強度を使用し、最も可能性の高い潜在的用語を除外してもよい。関連性の強度は、ナレッジグラフ４００内の２つの用語の間のエッジの正規化された距離の逆数であってもよい。例えば、ノード「Ｂｅｒｎｉｅ  Ｓａｎｄｅｒｓ」４０２と、ノード「Ｂｉｌｌ  Ｃｌｉｎｔｏｎ」４０６、ノード「Ｈｉｌｌａｒｙ  Ｃｌｉｎｔｏｎ」４０４、およびノード「Ｒｙａｎ  Ｃｌｉｎｔｏｎ」４０８のそれぞれとの間の関連性の正規化された強度は、それぞれ、０．７、０．７、および０．２である。関連性の要求される閾値強度が０．５である場合には、双方向メディアガイドアプリケーションは、ナレッジグラフ４００に基づいて、ノード「Ｂｉｌｌ  Ｃｌｉｎｔｏｎ」４０６およびノード「Ｈｉｌｌａｒｙ  Ｃｌｉｎｔｏｎ」４０４が第１の未知の用語「Ｃｌｉｎｔｏｎ」１０６の意味であり得る潜在的用語であることを決定してもよい。
【００５１】
双方向メディアガイドアプリケーションは、第１のナレッジグラフが第１の未知の用語の意味であり得る１つを上回る潜在的用語を含むかどうかを決定する。例えば、双方向メディアガイドアプリケーションは、ブール比較関数を使用し、ナレッジグラフ４００内の潜在的用語の数に対応するカウンタの値が１を上回るかどうかを決定してもよい。ナレッジグラフ４００が第１の未知の用語の意味であり得る１つを上回る潜在的用語を含むことを決定するステップに応答して、双方向メディアガイドアプリケーションは、テキストセグメントと関連付けられるタイムスタンプを決定する。タイムスタンプは、テキストセグメントの起源およびコンテンツに応じて、任意の時間周期であり得る。例えば、テキストセグメントが２０１０年〜２０１６年の間の選挙運動寄付方針の変更を詳述するレポートである場合、タイムスタンプは、２０１０年〜２０１６年であってもよい。ソーシャルメディアステータス更新（例えば、Ｔｗｉｔｔｅｒ投稿）または自然言語クエリに関して、タイムスタンプは、更新またはクエリの正確な日付および時間であってもよい。タイムスタンプは、テキストセグメントのコンテンツが関連する時間についての情報を導出するために使用される。
【００５２】
双方向メディアガイドアプリケーションは、テキストセグメントと関連付けられるメタデータを使用し、タイムスタンプを決定してもよい。双方向メディアガイドアプリケーションは、テキストセグメントに対応するメタデータに関してデータベース（例えば、メディアコンテンツソース９１６またはメディアガイドデータソース９１８に位置するデータベース）にクエリを行うことによって、テキストセグメントと関連付けられるメタデータを読み出してもよい。代替として、双方向メディアガイドアプリケーションは、テキストマイニング技法を使用し、テキストセグメント自体から時間インジケータを抽出してもよい。例えば、テキストセグメントは、テキストセグメント内で詳述されるイベントの日付（例えば、「Ｏｎ  Ｊａｎｕａｒｙ  １１，  ２０１６，  Ｂｅｒｎｉｅ  Ｓａｎｄｅｒｓ  ｃａｌｌｅｄ  ｏｕｔ  Ｃｌｉｎｔｏｎ…」）またはタイムスタンプを推定するために使用され得る他の文脈情報（例えば、「Ｓｐｅａｋｉｎｇ  ｔｏ  ｈｉｓ  ｓｕｐｐｏｒｔｅｒｓ  ｏｎ  ｔｈｅ  ｃｏｌｄｅｓｔ  ｗｉｎｔｅｒ  ｄａｙ  ｒｅｃｏｒｄｅｄ  ｉｎ  ３０  ｙｅａｒｓ，  Ｂｅｒｎｉｅ  Ｓａｎｄｅｒｓ  ｃａｌｌｅｄ  ｏｕｔ  Ｃｌｉｎｔｏｎ…」）を含有してもよい。この場合、双方向メディアガイドアプリケーションは、テキストセグメント１０２と関連付けられるタイムスタンプが「Ｊａｎｕａｒｙ  １１，  ２０１６」１０８であると決定してもよい。
【００５３】
双方向メディアガイドアプリケーションは、第１のコンテキスト用語と関連付けられ、タイムスタンプに関連する第２のナレッジグラフにアクセスし、第１の未知の用語の意味である潜在的用語を決定することによって、第１の未知の用語の意味を決定する。エンティティの間の関連性は、経時的に変化する。第２のナレッジグラフは、全ての時間周期ではなくてタイムスタンプに関連する特定の時間と関連付けられるため、エンティティの間の関連性の時間次元を捕捉する。例えば、男子生徒「Ｒｙａｎ  Ｃｌｉｎｔｏｎ」が自分の昼食代をＢｅｒｎｉｅ  Ｓａｎｄｅｒｓの選挙運動に寄付したというニュースが、特定の１週間の間にトレンドになっていた場合、用語「Ｂｅｒｎｉｅ  Ｓａｎｄｅｒｓ」と「Ｒｙａｎ  Ｃｌｉｎｔｏｎ」との間の関連性は、その特定の１週間と関連付けられるコーパスのみから導出されるナレッジグラフの中では強く、他の週と関連付けられるコーパスのみから導出されるナレッジグラフの中には存在しないであろう。しかしながら、全ての時間周期にわたってコーパスから導出されるナレッジグラフでは、２つの用語が１つの時点で強い関連性を共有したため、それらの間に弱い関連性があろう。
【００５４】
双方向メディアガイドアプリケーションは、タイムスタンプに関連する第２のナレッジグラフにアクセスすることによって、テキストセグメントに関連する時間周期中に最も重要であった関連性を決定することができる。例えば、第１のコンテキスト用語「Ｂｅｒｎｉｅ  Ｓａｎｄｅｒｓ」１０４と関連付けられ、タイムスタンプ「Ｊａｎｕａｒｙ  １１，  ２０１６」１０８に関連する、第２のナレッジグラフは、２０１６年１月１１日までの１週間の間のニュース記事、ソーシャルメディア、および他のコーパスからの情報を捕捉する、ナレッジグラフであってもよい。第２のナレッジグラフの実施例は、図５で描写されるナレッジグラフ５００の実施例である。
【００５５】
図５は、本開示のいくつかの実施形態による、テキストセグメント内の第１のコンテキスト用語と関連付けられるナレッジグラフの一部の別の例証的実施形態を示す。ナレッジグラフ５００は、タイムスタンプ「Ｊａｎｕａｒｙ  １１，  ２０１６」１０８に関連する時間中の多数のエンティティおよび他のエンティティとのそれらの関係についての情報を提供する。描写されるナレッジグラフ５００は、例証的実施形態にすぎず、ナレッジグラフ５００は、本発明の範囲から逸脱することなく、異なるエンティティの間の関係の別の好適な表現モードを備えることができる。
【００５６】
ナレッジグラフ５００は、記憶回路８０８を使用して記憶されてもよい。リンクされたリスト、ツリー、グラフ、バケット、またはアレイ等のデータ構造は、記憶回路８０８内のナレッジグラフ５００を表すために使用されてもよい。ナレッジグラフ５００は、ユーザ機器デバイス８００上でローカルに記憶されてもよい、または遠隔に記憶され、通信ネットワーク９１４を通してアクセスされてもよい。ナレッジグラフ５００は、１つの場所に完全に記憶されてもよい、またはセクションに分割されてもよく、各セクションは、複数の場所のうちの１つに記憶されてもよい。いくつかの実施形態では、ナレッジグラフ５００は、メディアコンテンツソース９１６およびメディアガイドデータソース９１８からのコンテンツを使用して、要求に応じて動的に生成されてもよい。
【００５７】
特定の時間間隔「Ｊａｎｕａｒｙ  １１，  ２０１６までの週」（ｗｅｅｋ  ｌｅａｄｉｎｇ  ｕｐ  ｔｏ  Ｊａｎｕａｒｙ  １１，  ２０１６）５０４と関連付けられるナレッジグラフ５００は、第１のコンテキスト用語「Ｂｅｒｎｉｅ  Ｓａｎｄｅｒｓ」１０４に対応するノード「Ｂｅｒｎｉｅ  Ｓａｎｄｅｒｓ」５０８を含む。ナレッジグラフ５００はまた、ノード「Ｉｎｃｏｍｅ  ｉｎｅｑｕａｌｉｔｙ」５０６と、ノード「Ｖｅｒｍｏｎｔ」５１２と、ノード「Ｈｉｌｌａｒｙ  Ｃｌｉｎｔｏｎ」５１０とを含む。双方向メディアガイドアプリケーションは、前述で議論された技法を使用して、ノード「Ｈｉｌｌａｒｙ  Ｃｌｉｎｔｏｎ」５１０を第１の未知の用語の意味として識別してもよい。
【００５８】
いくつかの実施形態では、第２のナレッジグラフは、その位置がテキストセグメントのタイムスタンプに基づいて決定される、特定の時間間隔と関連付けられる。例えば、特定の時間間隔は、１週間であってもよい。特定の時間間隔は、デフォルト時間間隔であってもよい。特定の時間間隔を使用することによって、双方向メディアガイドアプリケーションは、ナレッジグラフ５００が導出されるコーパスの量を限定し、トレンド関連性の識別を促進することができる。特定の時間間隔の位置は、第２のナレッジグラフ、すなわち、ナレッジグラフ５００がテキストセグメント１０２内の曖昧な用語の曖昧性を除去することに役立つ可能性が最も高いコーパスから導出されることを確実にするように、タイムスタンプ１０８に基づいて決定される。例えば、「Ｊａｎｕａｒｙ  １１，  ２０１６」タイムスタンプ１０８に基づいて、双方向メディアガイドアプリケーションは、１週間の位置が２０１６年１月１１日までの１週間であると決定してもよい。この場合、双方向メディアガイドアプリケーションは、２０１６年１月５日〜１１日の１週間からのコーパスから導出される第２のナレッジグラフ、すなわち、ナレッジグラフ５００にアクセスするであろう。
【００５９】
いくつかの実施形態では、第２のナレッジグラフと関連付けられる特定の時間間隔の持続時間は、第１のナレッジグラフと関連付けられる時間間隔の持続時間よりも短い。例えば、第１のナレッジグラフ、すなわち、ナレッジグラフ４００は、何年にも及ぶコーパスから導出される静的ナレッジグラフであってもよい。第２のナレッジグラフ（ナレッジグラフ５００）は、一方で、ある日と関連付けられるコーパスから導出される時間的ナレッジグラフであってもよい。
【００６０】
いくつかの実施形態では、第２のナレッジグラフと関連付けられる特定の時間間隔の位置は、第２のナレッジグラフと関連付けられる特定の時間間隔がタイムスタンプと重複するようなものである。特定の時間間隔とタイムスタンプとの間の重複は、部分的または完全であり得る。例えば、タイムスタンプ１０８は、Ｊａｎｕａｒｙ  １１，  ２０１６であってもよく、特定の時間間隔は、２０１６年１月７日〜１４日であってもよい。別の実施例として、タイムスタンプは、２０１６年１月１１日〜３月１１日であってもよく、特定の時間間隔は、２０１６年１月１日〜３１日であってもよい。いくつかの実施形態では、第２のナレッジグラフと関連付けられる特定の時間間隔の位置は、第２のナレッジグラフと関連付けられる特定の時間間隔がテキストセグメントのタイムスタンプに先行するようなものである。例えば、曖昧な用語を含有するテキストセグメントは、２０１６年１月１１日に受信された過去のイベントについての自然言語クエリであってもよい。この場合、第２のナレッジグラフと関連付けられる特定の時間間隔は、２０１６年１月３日〜６日であってもよい。いくつかの実施形態では、第２のナレッジグラフと関連付けられる特定の時間間隔の位置は、第２のナレッジグラフと関連付けられる特定の時間間隔がテキストセグメントのタイムスタンプの後に続くようなものである。例えば、曖昧な用語を含有するテキストセグメント１０２は、２０１６年１月１１日午後３時３３分のソーシャルメディア投稿であってもよい。双方向メディアガイドアプリケーションは、最初のソーシャルメディア投稿に応答して書かれたソーシャルメディア投稿が、第２のナレッジグラフ（ナレッジグラフ５００）を導出する最良のコーパスであろうことを決定してもよい。故に、第２のナレッジグラフと関連付けられる特定の時間間隔は、２０１６年１月１１日午後３時３４分〜午後６時であってもよい。
【００６１】
いくつかの実施形態では、特定の時間間隔の持続時間は、テキストセグメントを分析することによって識別される、時間インジケータに部分的に基づく。例えば、双方向メディアガイドアプリケーションは、テキストマイニング技法を使用し、テキストセグメント内に存在し得、曖昧な用語と関連付けられ得る、時間インジケータ（例えば、今日、１週間の間、先月の全体、過去２年の間、および他の好適な時間インジケータ）を識別してもよい。例えば、双方向メディアガイドアプリケーションは、自然言語クエリ「Ｗｈａｔ  ｄｉｄ  Ｃｌｉｎｔｏｎ  ｓａｙ  ｔｏ  Ｂｅｒｎｉｅ  Ｓａｎｄｅｒｓ  ａｔ  ｔｈｅ  ｆｕｎｄ  ｒａｉｓｅｒ  ｔｏｄａｙ？」を分析し、「ｔｏｄａｙ」が曖昧な用語「Ｃｌｉｎｔｏｎ」と関連付けられる時間インジケータであることを決定してもよい。双方向メディアガイドアプリケーションは、時間インジケータ「ｔｏｄａｙ」に基づいて、特定の時間間隔の持続時間が１日であるはずであることを決定してもよい。
【００６２】
いくつかの実施形態では、特定の時間間隔の持続時間は、テキストセグメントのソースに部分的に基づく。例えば、双方向メディアガイドアプリケーションは、テキストセグメント１０２のソースが日刊新聞（例えば、Ｎｅｗ  Ｙｏｒｋ  Ｔｉｍｅｓ）であることを決定してもよい。この場合、双方向メディアガイドアプリケーションは、日刊新聞が過去数日の間に起こったイベントを参照する可能性が最も高いため、１週間であるように特定の時間間隔の持続時間を設定してもよい。テキストセグメント１０２のソースが、議論されている話題がより頻繁に変化するマイクロブログプラットフォーム（例えば、Ｔｗｉｔｔｅｒ）であることを、双方向メディアガイドアプリケーションが決定する場合、双方向メディアガイドアプリケーションは、１日であるように特定の時間間隔の持続時間を設定してもよい。ユーザから受信される自然言語クエリに関して、双方向メディアガイドアプリケーションは、（例えば、文字列またはバイオメトリックデータ等のユーザと関連付けられる一意の識別子に基づいて）ユーザを識別してもよい。双方向メディアガイドアプリケーションは、次いで、ユーザと関連付けられる情報（例えば、ユーザプロファイルと関連付けられるクエリ履歴、メディア消費パターン、および記憶装置８０８から読み出される他のそのような情報）を使用し、特定の時間間隔の持続時間を決定してもよい。例えば、双方向メディアガイドアプリケーションは、クエリがユーザＴｏｍｍｙから受信されることを決定してもよい。双方向メディアガイドアプリケーションは、Ｔｏｍｍｙのユーザプロファイルから、彼が主に日刊新聞を読み、これらの新聞の中のイベントに関連する頻繁なクエリを有することを決定してもよい。この場合、双方向メディアガイドアプリケーションは、Ｔｏｍｍｙのクエリの中の曖昧な用語が最近のイベントを指す可能性が最も高いことを決定し、１週間であるように特定の時間間隔を設定してもよい。
【００６３】
いくつかの実施形態では、双方向メディアガイドアプリケーションは、第１のナレッジグラフが、第１の未知の用語の意味であり得る、いかなる潜在的用語も含まないことを決定する。例えば、テキストセグメント「Ｍｅｇａｎ  Ｋｅｌｌｙ，  Ｂｅｒｎｉｅ  Ｓａｎｄｅｒｓ  ａｎｄ  Ｃｌｉｎｔｏｎ  ｗｅｒｅ  ａｌｌ  ａｔ  ｔｈｅ  ｄｅｂａｔｅ」に関して、双方向メディアガイドアプリケーションは、「Ｃｌｉｎｔｏｎ」を未知の用語として、「Ｍｅｇａｎ  Ｋｅｌｌｙ」を第１のコンテキスト用語として識別してもよい。双方向メディアガイドアプリケーションは、第１のコンテキスト用語「Ｍｅｇａｎ  Ｋｅｌｌｙ」と関連付けられる第１のナレッジグラフにアクセスし、未知の用語「Ｃｌｉｎｔｏｎ」の意味であり得る潜在的用語が第１のナレッジグラフの中にないことを決定してもよい。双方向メディアガイドアプリケーションは、次いで、テキストセグメント内の第２のコンテキスト用語を識別してもよい。例えば、双方向メディアガイドアプリケーションは、「Ｂｅｒｎｉｅ  Ｓａｎｄｅｒｓ」を第２のコンテキスト用語として識別してもよい。
【００６４】
いくつかの実施形態では、双方向メディアガイドアプリケーションは、第２のコンテキスト用語に基づいて、第１の未知の用語の意味を決定する。この場合、双方向メディアガイドアプリケーションは、Ｂｅｒｎｉｅ  Ｓａｎｄｅｒｓと関連付けられるナレッジグラフにアクセスすることによって、第２のコンテキスト用語「Ｂｅｒｎｉｅ  Ｓａｎｄｅｒｓ」に基づいて第１の未知の用語「Ｃｌｉｎｔｏｎ」の意味を決定してもよい。用語「Ｃｌｉｎｔｏｎ」が曖昧であると決定することに応じて、双方向メディアガイドアプリケーションは、用語「Ｂｅｒｎｉｅ  Ｓａｎｄｅｒｓ」と関連付けられ、テキストセグメントのタイムスタンプと関連付けられるスタンプに関連する、別のナレッジグラフにアクセスし、用語「Ｃｌｉｎｔｏｎ」の意味を決定してもよい。
【００６５】
いくつかの実施形態では、双方向メディアガイドアプリケーションは、第２のナレッジグラフが第１の未知の用語の意味であり得る１つを上回る潜在的用語を含むことを決定してもよい。例えば、テキストセグメント「Ｂｅｒｎｉｅ  Ｓａｎｄｅｒｓ  ｈａｓ  ｊｕｓｔ  ｃａｌｌｅｄ  ｏｕｔ  Ｃｌｉｎｔｏｎ  ｆｏｒ  ｓｏｌｉｃｉｔｉｎｇ  ｄｏｎａｔｉｏｎｓ  ｆｒｏｍ  ｂａｎｋｓ  ａｎｄ  ｃｏｒｐｏｒａｔｉｏｎｓ」に関して、双方向メディアガイドアプリケーションは、第２のナレッジグラフが用語「Ｈｉｌｌａｒｙ  Ｃｌｉｎｔｏｎ」および「Ｂｉｌｌ  Ｃｌｉｎｔｏｎ」を含有し、その両方が第１の未知の用語の意味であり得ることを決定してもよい。いくつかの実施形態では、双方向メディアガイドアプリケーションは、特定の時間間隔の持続時間および特定の時間間隔の位置のうちの少なくとも１つを調節してもよい。双方向メディアガイドアプリケーションは、位置を一定に保ちながら、特定の時間間隔の持続時間を変更（すなわち、増加または減少）してもよい。代替として、双方向メディアガイドアプリケーションは、特定の時間間隔の位置を変更しながら、特定の時間間隔の持続時間を一定に保ってもよい。いくつかの実施形態では、双方向メディアガイドアプリケーションは、特定の時間間隔の持続時間および位置の両方を変更してもよい。
【００６６】
例えば、テキストセグメントのタイムスタンプは、２０１６年１月１１日となっている場合があり、特定の時間間隔の持続時間は、１週間となっている場合があり、特定の時間間隔の位置は、その終点がタイムスタンプと一致するようなものとなっている場合がある。この場合、第２のナレッジグラフは、２０１６年１月５日〜１１日のコーパスから導出されるであろう。本第２のナレッジグラフが、第１の未知の用語「Ｃｌｉｎｔｏｎ」の意味であり得る１つを上回る潜在的用語を含むため、双方向メディアガイドアプリケーションは、特定の時間間隔がここで、（例えば、外来コーパスの量を限定するために）２０１６年１月９日〜１１日に及ぶように、３日であるように特定の時間間隔の持続時間を減少させてもよい。代替として、双方向メディアガイドアプリケーションは、特定の時間間隔の持続時間を７日において一定に保ち、特定の時間間隔の始点がタイムスタンプと一致する（すなわち、特定の時間間隔がここで２０１６年１月１１日〜１７日である）ように、位置を変更してもよい。
【００６７】
いくつかの実施形態では、双方向メディアガイドアプリケーションは、第１のコンテキスト用語および特定の時間間隔と関連付けられる第３のナレッジグラフにアクセスし、第１の未知の用語の意味である潜在的用語を決定することによって、第１の未知の用語の意味を決定してもよい。例えば、双方向メディアガイドアプリケーションは、調節された特定の時間間隔２０１６年１月９日〜１１日と関連付けられる第３のナレッジグラフにアクセスし、第１の未知の用語「Ｃｌｉｎｔｏｎ」の意味である潜在的用語を決定してもよい。前述で議論された、双方向メディアガイドアプリケーションが第３のナレッジグラフから第１の未知の用語の意味である潜在的用語を決定し得る、技法は、ここで適用可能である。
【００６８】
いくつかの実施形態では、双方向メディアガイドアプリケーションは、第２のナレッジグラフが、第１の未知の用語の意味であり得る、いかなる潜在的用語も含まないことを決定する。例えば、双方向メディアガイドアプリケーションは、未知の用語「Ｃｌｉｎｔｏｎ」に類似する用語が第２のナレッジグラフの中にないことを決定してもよい。双方向メディアガイドアプリケーションは、特定の時間間隔の持続時間および特定の時間間隔の位置のうちの少なくとも１つを調節してもよい。前の実施例から、特定の時間間隔は、２０１６年１月５日〜１１日であってもよい。双方向メディアガイドアプリケーションは、特定の時間間隔の持続時間を２週間まで増加させ、さらなるコーパスを組み込んでもよい。この場合、特定の時間間隔はここで、２０１５年１２月２９日〜２０１６年１月１１日に及ぶ。
【００６９】
いくつかの実施形態では、双方向メディアガイドアプリケーションは、第１のコンテキスト用語および特定の時間間隔と関連付けられる第４のナレッジグラフにアクセスし、第１の未知の用語の意味である潜在的用語を決定することによって、第１の未知の用語の意味を決定してもよい。例えば、双方向メディアガイドアプリケーションは、調節された特定の時間間隔２０１５年１２月２９日〜２０１６年１月１１日と関連付けられる第４のナレッジグラフにアクセスし、第１の未知の用語「Ｃｌｉｎｔｏｎ」の意味である潜在的用語を決定してもよい。
【００７０】
任意の所与のコンテンツ配信システムでユーザに利用可能なコンテンツの量が、膨大であり得る。その結果、多くのユーザは、ユーザがコンテンツの選択を効率的にナビゲートし、所望し得るコンテンツを容易に識別することを可能にする、インターフェースを通したメディアガイドの形態を所望している。そのようなガイドを提供するアプリケーションは、本明細書では、双方向メディアガイドアプリケーションと称されるが、時として、メディアガイドアプリケーションまたはガイドアプリケーションと称されることもある。
【００７１】
双方向メディアガイドアプリケーションは、ガイドを提供するコンテンツに応じて、種々の形態をとってもよい。１つの典型的なタイプのメディアガイドアプリケーションは、双方向テレビ番組ガイドである。双方向テレビ番組ガイド（時として、電子番組ガイドと称されることもある）は、とりわけ、ユーザが、多くのタイプのコンテンツまたはメディアアセット間をナビゲートし、それを特定することが可能である、周知のガイドアプリケーションである。双方向メディアガイドアプリケーションは、ユーザが、コンテンツ間をナビゲートし、それを特定および選択することを可能にする、グラフィカルユーザインターフェース画面を生成してもよい。本明細書で参照されるように、用語「メディアアセット」および「コンテンツ」は、テレビ番組、ならびに有料番組、オンデマンド番組（ビデオオンデマンド（ＶＯＤ）システムにおけるような）、インターネットコンテンツ（例えば、ストリーミングコンテンツ、ダウンロード可能コンテンツ、ウェブキャスト等）、ビデオクリップ、オーディオ、コンテンツ情報、写真、回転画像、ドキュメント、プレイリスト、ウェブサイト、記事、書籍、電子書籍、ブログ、広告、チャットセッション、ソーシャルメディア、アプリケーション、ゲーム、および／または任意の他のメディアもしくはマルチメディア、および／またはそれらの組み合わせ等の電子的に消費可能なユーザアセットを意味すると理解されたい。ガイドアプリケーションはまた、ユーザが、コンテンツ間をナビゲートし、それを特定することも可能にする。本明細書で参照されるように、用語「マルチメディア」とは、上記で説明される少なくとも２つの異なるコンテンツ形態、例えば、テキスト、オーディオ、画像、ビデオ、または双方向コンテンツ形態を利用する、コンテンツを意味すると理解されたい。コンテンツは、ユーザ機器デバイスによって、録画、再生、表示、またはアクセスされてもよいが、また、ライブパーフォーマンスの一部であることもできる。
【００７２】
本明細書で議論される実施形態のうちのいずれかを実施するためのメディアガイドアプリケーションおよび／または任意の命令は、コンピュータ可読媒体上に符号化されてもよい。コンピュータ可読媒体は、データを記憶することが可能な任意のメディアを含む。コンピュータ可読媒体は、限定されないが、電気もしくは電磁信号の伝搬を含む、一過性であり得る、または限定されないが、ハードディスク、フロッピー（登録商標）ディスク、ＵＳＢドライブ、ＤＶＤ、ＣＤ、メディアカード、レジスタメモリ、プロセッサキャッシュ、ランダムアクセスメモリ（「ＲＡＭ」）等の揮発性および不揮発性コンピュータメモリもしくは記憶デバイスを含む、非一過性であり得る。
【００７３】
インターネット、モバイルコンピューティング、および高速無線ネットワークの出現に伴って、ユーザは、従来は使用しなかったユーザ機器デバイス上でメディアにアクセスするようになっている。本明細書で参照されるように、語句「ユーザ機器デバイス」、「ユーザ機器」、「ユーザデバイス」、「電子デバイス」、「電子機器」、「メディア機器デバイス」、または「メディアデバイス」は、テレビ、スマートＴＶ、セットトップボックス、衛星テレビに対応するための統合型受信機デコーダ（ＩＲＤ）、デジタル記憶デバイス、デジタルメディア受信機（ＤＭＲ）、デジタルメディアアダプタ（ＤＭＡ）、ストリーミングメディアデバイス、ＤＶＤプレーヤ、ＤＶＤレコーダ、接続型ＤＶＤ、ローカルメディアサーバ、ＢＬＵ−ＲＡＹ（登録商標）プレーヤ、ＢＬＵ−ＲＡＹ（登録商標）レコーダ、パーソナルコンピュータ（ＰＣ）、ラップトップコンピュータ、タブレットコンピュータ、ウェブＴＶボックス、パーソナルコンピュータテレビ（ＰＣ／ＴＶ）、ＰＣメディアサーバ、ＰＣメディアセンター、ハンドヘルドコンピュータ、固定電話、携帯情報端末（ＰＤＡ）、携帯電話、ポータブルビデオプレーヤ、ポータブル音楽プレーヤ、ポータブルゲーム機、スマートフォン、または任意の他のテレビ機器、コンピューティング機器、もしくは無線デバイス、および／またはそれらの組み合わせ等の上記で説明されるコンテンツにアクセスするための任意のデバイスを意味すると理解されたい。いくつかの実施形態では、ユーザ機器デバイスは、正面画面および裏面画面、複数の正面画面、または複数の角度付き画面を有してもよい。いくつかの実施形態では、ユーザ機器デバイスは、正面カメラおよび／または裏面カメラを有してもよい。これらのユーザ機器デバイス上で、ユーザは、テレビを通して利用可能な同一のコンテンツ間をナビゲートし、それを特定することが可能であり得る。その結果として、メディアガイドは、これらのデバイス上でも利用可能であり得る。提供されるガイドは、テレビのみを通して利用可能なコンテンツ、他のタイプのユーザ機器デバイスのうちの１つ以上のもののみを通して利用可能なコンテンツ、もしくはテレビおよび他のタイプのユーザ機器デバイスのうちの１つ以上のもの両方を通して利用可能なコンテンツのためのものであってもよい。メディアガイドアプリケーションは、ユーザ機器デバイス上で、オンラインアプリケーション（すなわち、ウェブサイト上で提供される）として、または独立型アプリケーションもしくはクライアントとして提供されてもよい。メディアガイドアプリケーションを実装し得る、種々のデバイスおよびプラットフォームは、以下でさらに詳細に説明される。
【００７４】
メディアガイドアプリケーションの機能のうちの１つは、メディアガイドデータをユーザに提供することである。本明細書で参照されるように、語句「メディアガイドデータ」または「ガイドデータ」は、コンテンツに関連する任意のデータもしくはガイドアプリケーションを動作させる際に使用されるデータを意味すると理解されたい。例えば、ガイドデータは、番組情報、ガイドアプリケーション設定、ユーザ選好、ユーザプロファイル情報、メディア一覧、メディア関連情報（例えば、放送時間、放送チャンネル、タイトル、内容、評価情報（例えば、ペアレンタルコントロール評価、批評家の評価等）、ジャンルまたはカテゴリ情報、俳優情報、放送会社またはプロバイダのロゴのロゴデータ等）、メディア形式（例えば、標準解像度、高解像度、３Ｄ等）、広告情報（例えば、テキスト、画像、メディアクリップ等）、オンデマンド情報、ブログ、ウェブサイト、およびユーザが所望のコンテンツ選択間をナビゲートし、それを特定するために役立つ、任意の他のタイプのガイドデータを含んでもよい。
【００７５】
図６−７は、メディアガイドデータを提供するために使用され得る、例証的表示画面を示す。図６−７に示される表示画面は、任意の好適なユーザ機器デバイスまたはプラットフォーム上に実装されてもよい。図６−７の表示は、フル画面表示として図示されているが、それらはまた、表示されているコンテンツ上に完全または部分的にオーバーレイされてもよい。ユーザは、表示画面内に提供された選択可能なオプション（例えば、メニューオプション、一覧オプション、アイコン、ハイパーリンク等）を選択することによって、またはリモートコントロールもしくは他のユーザ入力インターフェースまたはデバイス上の専用ボタン（例えば、「ガイド」ボタン）を押下することによって、コンテンツ情報にアクセスする要望を示してもよい。ユーザのインジケーションに応答して、メディアガイドアプリケーションは、グリッド内の時間およびチャンネル別、時間別、チャンネル別、ソース別、コンテンツタイプ別、カテゴリ別（例えば、映画、スポーツ、ニュース、子供向け、または他の番組カテゴリ）、または他の所定、ユーザ定義、もしくは他の編成基準等のいくつかの方法のうちの１つにおいて編成されたメディアガイドデータを表示画面に提供してもよい。
【００７６】
図６は、単一表示内の異なるタイプのコンテンツへのアクセスも可能にする、時間およびチャンネル別に配列された番組一覧表示６００の例証的グリッドを示す。表示６００は、（１）各チャンネル／コンテンツタイプ識別子（列内のセル）が利用可能な異なるチャンネルまたはコンテンツのタイプを識別する、チャンネル／コンテンツタイプ識別子６０４の列、および（２）各時間識別子（行内のセル）が番組の時間帯を識別する、時間識別子６０６の行を伴うグリッド６０２を含んでもよい。グリッド６０２はまた、番組一覧６０８等の番組一覧のセルも含み、各一覧は、一覧の関連チャンネルおよび時間の上に提供される、番組のタイトルを提供する。ユーザ入力デバイスを用いて、ユーザは、ハイライト領域６１０を移動させることによって番組一覧を選択することができる。ハイライト領域６１０によって選択される番組一覧に関する情報が、番組情報領域６１２内に提供されてもよい。領域６１２は、例えば、番組タイトル、番組内容、番組が提供される時間（該当する場合）、番組が放送されるチャンネル（該当する場合）、番組の評価、および他の所望の情報を含んでもよい。
【００７７】
線形番組（例えば、事前決定された時間に複数のユーザ機器デバイスに伝送されるようにスケジュールされ、スケジュールに従って提供されるコンテンツ）にアクセスを提供することに加えて、メディアガイドアプリケーションはまた、非線形番組（例えば、任意の時間においてユーザ機器デバイスにアクセス可能であって、スケジュールに従って提供されないコンテンツ）へのアクセスも提供する。非線形番組は、オンデマンドコンテンツ（例えば、ＶＯＤ）、インターネットコンテンツ（例えば、ストリーミングメディア、ダウンロード可能メディア等）、ローカルに記憶されたコンテンツ（例えば、上記で説明される任意のユーザ機器デバイスもしくは他の記憶デバイス上に記憶されたコンテンツ）、または他の時間非依存性コンテンツを含む、異なるコンテンツソースからのコンテンツを含んでもよい。オンデマンドコンテンツは、特定のコンテンツプロバイダ（例えば、「Ｔｈｅ  Ｓｏｐｒａｎｏｓ」や「Ｃｕｒｂ  Ｙｏｕｒ  Ｅｎｔｈｕｓｉａｓｍ」を提供するＨＢＯ  Ｏｎ  Ｄｅｍａｎｄ）によって提供される映画または任意の他のコンテンツを含んでもよい。ＨＢＯ  ＯＮ  ＤＥＭＡＮＤは、Ｔｉｍｅ  Ｗａｒｎｅｒ  Ｃｏｍｐａｎｙ  Ｌ．Ｐ．らによって所有されるサービスマークであり、ＴＨＥ  ＳＯＰＲＡＮＯＳおよびＣＵＲＢ  ＹＯＵＲ  ＥＮＴＨＵＳＩＡＳＭは、Ｈｏｍｅ  Ｂｏｘ  Ｏｆｆｉｃｅ，  Ｉｎｃ．によって所有される商標である。インターネットコンテンツは、チャットセッションまたはウェブキャスト等のウェブイベント、もしくはインターネットウェブサイトまたは他のインターネットアクセス（例えば、ＦＴＰ）を通して、ストリーミングコンテンツまたはダウンロード可能なコンテンツとしてオンデマンドで利用可能なコンテンツを含んでもよい。
【００７８】
グリッド６０２は、オンデマンド一覧６１４、録画コンテンツ一覧６１６、およびインターネットコンテンツ一覧６１８を含む、非線形番組のメディアガイドデータを提供してもよい。異なるタイプのコンテンツソースからのコンテンツのためのメディアガイドデータを組み合わせる表示は、時として、「混合メディア」表示と称されることもある。表示６００とは異なる、表示され得るメディアガイドデータのタイプの種々の順列は、ユーザ選択またはガイドアプリケーション定義に基づいてもよい（例えば、録画および放送一覧のみの表示、オンデマンドおよび放送一覧のみの表示等）。例証されるように、一覧６１４、６１６、および６１８は、これらの一覧の選択が、それぞれ、オンデマンド一覧、録画一覧、またはインターネット一覧専用の表示へのアクセスを提供し得ることを示すように、グリッド６０２内に表示される時間帯全体に及ぶものとして示されている。いくつかの実施形態では、これらのコンテンツタイプの一覧は、グリッド６０２に直接含まれてもよい。ユーザがナビゲーションアイコン６２０のうちの１つを選択することに応答して、付加的メディアガイドデータが表示されてもよい（ユーザ入力デバイス上の矢印キーを押下することは、ナビゲーションアイコン６２０を選択することと同様に表示に影響を及ぼし得る）。
【００７９】
表示６００はまた、ビデオ領域６２２、広告６２４、およびオプション領域６２６を含んでもよい。ビデオ領域６２２は、ユーザが、現在利用可能である、今後利用可能となる、もしくはユーザに利用可能であった番組を視聴および／またはプレビューすることを可能にしてもよい。ビデオ領域６２２のコンテンツは、グリッド６０２に表示される一覧のうちの１つに対応するか、またはそれから独立してもよい。ビデオ領域を含むグリッド表示は、時として、ピクチャインガイド（ＰＩＧ）表示と称されることもある。ＰＩＧ表示およびそれらの機能性は、参照することによりそれらの全体として本明細書に組み込まれる、２００３年５月１３日に発行されたＳａｔｔｅｒｆｉｅｌｄ  ｅｔ  ａｌ．の米国特許第６，５６４，３７８号、および２００１年５月２９日に発行されたＹｕｅｎ  ｅｔ  ａｌ．の米国特許第６，２３９，７９４号でさらに詳細に説明されている。ＰＩＧ表示は、本明細書に説明される実施形態の他のメディアガイドアプリケーション表示画面に含まれてもよい。
【００８０】
広告６２４は、（例えば、サブスクリプション番組に対する）視聴者のアクセス権に応じて、現在視聴が利用可能である、将来視聴が利用可能となる、または決して視聴利用可能とはなり得ない、コンテンツの広告を提供してもよく、グリッド６０２内のコンテンツ一覧のうちの１つもしくはそれを上回るものに対応してもよい、または無関係であり得る。広告６２４はまた、グリッド６０２内で表示されるコンテンツに関連する、または無関係である、製品もしくはサービスに対するものであってもよい。広告６２４は、選択可能であり、コンテンツについてのさらなる情報を提供すること、製品またはサービスについての情報を提供すること、コンテンツ、製品、またはサービスの購入を可能にすること、広告に関するコンテンツを提供すること等を行ってもよい。広告６２４は、ユーザのプロファイル／選好、監視されたユーザ活動、提供される表示のタイプ、または他の好適な標的化された広告基盤に基づいて標的化されてもよい。
【００８１】
広告６２４は、長方形またはバナー形状として示されているが、広告は、ガイドアプリケーション表示内の任意の好適なサイズ、形状、および場所で提供されてもよい。例えば、広告６２４は、グリッド６０２に水平に隣接する長方形として提供されてもよい。これは、時として、パネル広告と称されることもある。加えて、広告は、コンテンツもしくはガイドアプリケーション表示上にオーバーレイされるか、または表示内に埋め込まれてもよい。広告はまた、テキスト、画像、回転画像、ビデオクリップ、または上記で説明される他のタイプのコンテンツを含んでもよい。広告は、ガイドアプリケーションを有するユーザ機器デバイス内、ユーザ機器に接続されたデータベース内、遠隔場所（ストリーミングメディアサーバを含む）内、または他の記憶手段上、もしくはこれらの場所の組み合わせ上に記憶されてもよい。メディアガイドアプリケーション内で広告を提供するステップは、例えば、参照することによりそれらの全体として本明細書に組み込まれる、２００３年１月１７日に出願されたＫｎｕｄｓｏｎ  ｅｔ  ａｌ．の米国特許出願公開第２００３／０１１０４９９号、２００４年６月２９日に発行されたＷａｒｄ，ＩＩＩ  ｅｔ  ａｌ．の米国特許第６，７５６，９９７号、および２００２年５月１４日に発行されたＳｃｈｅｉｎ  ｅｔ  ａｌ．の米国特許第６，３８８，７１４号で、さらに詳細に議論されている。広告は、本明細書に説明される実施形態の他のメディアガイドアプリケーション表示画面に含まれ得ることが理解されるであろう。
【００８２】
オプション領域６２６は、ユーザが、異なるタイプのコンテンツ、メディアガイドアプリケーション表示、および／またはメディアガイドアプリケーション特徴にアクセスすることを可能にしてもよい。オプション領域６２６は、表示６００（および本明細書に説明される他の表示画面）の一部であってもよい、または画面上のオプションを選択することもしくはユーザ入力デバイス上の専用または割当可能ボタンを押下することによって、ユーザによって呼び出されてもよい。オプション領域６２６内の選択可能オプションは、グリッド６０２内の番組一覧に関連する特徴に関してもよい、またはメインメニュー表示から利用可能なオプションを含んでもよい。番組一覧に関連する特徴は、他の放送時間もしくは番組の受信方法の検索、番組の録画、番組の連続録画の有効化、番組および／またはチャンネルのお気に入りとして設定、番組の購入、もしくは他の特徴を含んでもよい。メインメニュー表示から利用可能なオプションは、検索オプション、ＶＯＤオプション、ペアレンタルコントロールオプション、インターネットオプション、クラウドベースのオプション、デバイス同期オプション、第２の画面デバイスオプション、種々のタイプのメディアガイドデータ表示にアクセスするオプション、プレミアムサービスをサブスクライブするオプション、ユーザのプロファイルを編集するオプション、ブラウザオーバーレイにアクセスするオプション、または他のオプションを含んでもよい。
【００８３】
メディアガイドアプリケーションは、ユーザの選好に基づいて個人化されてもよい。個人化されたメディアガイドアプリケーションは、ユーザが、メディアガイドアプリケーションを用いて個人化された「体験」を生成するように、表示および特徴をカスタマイズすることを可能にする。この個人化された体験は、ユーザがこれらのカスタマイズを入力することを可能にすることによって、および／または種々のユーザ選好を決定するようにメディアガイドアプリケーションがユーザ活動を監視することによって、生成されてもよい。ユーザは、ログインすることによって、または別様にガイドアプリケーションに対して自らを識別することによって、それらの個人化されたガイドアプリケーションにアクセスしてもよい。メディアガイドアプリケーションのカスタマイズは、ユーザプロファイルに従って作製されてもよい。カスタマイズは、提示方式（例えば、表示の色方式、テキストのフォントサイズ等）、表示されるコンテンツ一覧の態様（例えば、ＨＤＴＶ番組のみまたは３Ｄ番組のみ、お気に入りチャンネル選択に基づいたユーザ指定の放送チャンネル、チャンネルの表示の並び替え、推奨コンテンツ等）、所望の録画特徴（例えば、特定のユーザに対する録画または連続録画、録画品質等）、ペアレンタルコントロール設定、インターネットコンテンツのカスタマイズされた提示（例えば、ソーシャルメディアコンテンツ、電子メール、電子的に配信された記事等の提示）、および他の所望のカスタマイズを変動させるステップを含んでもよい。
【００８４】
メディアガイドアプリケーションは、ユーザが、ユーザプロファイル情報を提供することを可能にしてもよい、またはユーザプロファイル情報を自動的にコンパイルしてもよい。メディアガイドアプリケーションは、例えば、ユーザがアクセスするコンテンツ、および／またはユーザがガイドアプリケーションと有し得る他の相互作用を監視してもよい。加えて、メディアガイドアプリケーションは、特定のユーザに関連する他のユーザプロファイルの全体または一部を取得し（例えば、ｗｗｗ．ａｌｌｒｏｖｉ．ｃｏｍ等のユーザがアクセスするインターネット上の他のウェブサイトから、ユーザがアクセスする他のメディアガイドアプリケーションから、ユーザがアクセスする他の双方向アプリケーションから、ユーザの別のユーザ機器デバイスから等）、および／またはメディアガイドアプリケーションがアクセスし得る他のソースから、ユーザについての情報を取得してもよい。結果として、ユーザは、ユーザの異なるユーザ機器デバイスを横断して統一されたガイドアプリケーション体験を提供されることができる。本タイプのユーザ体験は、図９に関連して、以下でさらに詳細に説明される。付加的な個人化されたメディアガイドアプリケーション特徴は、参照することによりそれらの全体として本明細書に組み込まれる、２００５年７月１１日に出願されたＥｌｌｉｓ  ｅｔ  ａｌ．の米国特許出願公開第２００５／０２５１８２７号、２００７年１月１６日に発行されたＢｏｙｅｒ  ｅｔ  ａｌ．の米国特許第７，１６５，０９８号、および２００２年２月２１日に出願されたＥｌｌｉｓ  ｅｔ  ａｌ．の米国特許出願公開第２００２／０１７４４３０号でさらに詳細に説明されている。
【００８５】
メディアガイドを提供するための別の表示配列が、図７に示されている。ビデオモザイク表示７００は、コンテンツのタイプ、ジャンル、および／または他の編成基準に基づいて編成されたコンテンツ情報のための選択可能オプション７０２を含む。表示７００では、テレビ一覧オプション７０４が、選択され、したがって、一覧７０６、７０８、７１０、および７１２を放送番組一覧として提供する。表示７００では、一覧は、カバーアート、コンテンツからの静止画像、ビデオクリップのプレビュー、コンテンツからのライブビデオ、または一覧中のメディアガイドデータによって記述されているコンテンツをユーザに示す他のタイプのコンテンツを含む、グラフィック画像を提供してもよい。グラフィック一覧はまた、それぞれ、一覧と関連付けられるコンテンツについてのさらなる情報を提供するように、テキストを伴ってもよい。例えば、一覧７０８は、メディア部分７１４およびテキスト部分７１６を含む、１つを上回る部分を含んでもよい。メディア部分７１４および／またはテキスト部分７１６は、コンテンツをフル画面で視聴するように、もしくはメディア部分７１４に表示されるコンテンツに関連する情報を閲覧するように（例えば、ビデオが表示されるチャンネルの一覧を閲覧するように）、選択可能であり得る。
【００８６】
表示７００中の一覧は、異なるサイズである（すなわち、一覧７０６は、一覧７０８、７１０、および７１２より大きい）が、所望される場合、全ての一覧が同一のサイズであってもよい。一覧は、コンテンツプロバイダの所望に応じて、またはユーザ選好に基づいて、ユーザに関心の程度を示すように、もしくはあるコンテンツを強調するように、異なるサイズであってもよい、またはグラフィック的に強調されてもよい。コンテンツ一覧をグラフィック的に強調するための種々のシステムおよび方法は、例えば、参照することによりその全体として本明細書に組み込まれる、２００９年１１月１２日に出願されたＹａｔｅｓの米国特許出願公開第２０１０／０１５３８８５号で議論されている。
【００８７】
ユーザは、そのユーザ機器デバイスのうちの１つ以上のものから、コンテンツおよびメディアガイドアプリケーション（ならびに上記および下記に説明されるその表示画面）にアクセスしてもよい。図８は、例証的ユーザ機器デバイス８００の一般化実施形態を示す。ユーザ機器デバイスのより具体的な実装は、図９に関連して以下で議論される。ユーザ機器デバイス８００は、入出力（以下では「Ｉ／Ｏ」）パス８０２を介して、コンテンツおよびデータを受信してもよい。Ｉ／Ｏパス８０２は、コンテンツ（例えば、放送番組、オンデマンド番組、インターネットコンテンツ、ローカルエリアネットワーク（ＬＡＮ）もしくは広域ネットワーク（ＷＡＮ）を経由して利用可能なコンテンツ、および／または他のコンテンツ）およびデータを、処理回路８０６ならびに記憶装置８０８を含む制御回路８０４に提供してもよい。制御回路８０４は、Ｉ／Ｏパス８０２を使用して、コマンド、要求、および他の好適なデータを送受信するために使用されてもよい。Ｉ／Ｏパス８０２は、制御回路８０４（具体的には、処理回路８０６）を１つ以上の通信パス（以下で説明される）に接続してもよい。Ｉ／Ｏ機能は、これらの通信パスのうちの１つ以上のものによって提供されてもよいが、図面が複雑になり過ぎることを回避するため、図８では単一パスとして示されている。
【００８８】
制御回路８０４は、処理回路８０６等の任意の好適な処理回路に基づいてもよい。本明細書で参照されるように、処理回路は、１つ以上のマイクロプロセッサ、マイクロコントローラ、デジタル信号プロセッサ、プログラマブル論理デバイス、フィールドプログラマブルゲートアレイ（ＦＰＧＡ）、特定用途向け集積回路（ＡＳＩＣ）等に基づく回路を意味すると理解されるはずであり、マルチコアプロセッサ（例えば、デュアルコア、クアドコア、ヘクサコア、もしくは任意の好適な数のコア）またはスーパーコンピュータを含んでもよい。いくつかの実施形態では、処理回路は、複数の別個のプロセッサまたは処理ユニット、例えば、複数の同一のタイプの処理ユニット（例えば、２つのＩｎｔｅｌ  Ｃｏｒｅ  ｉ７プロセッサ）または複数の異なるプロセッサ（例えば、Ｉｎｔｅｌ  Ｃｏｒｅ  ｉ５プロセッサおよびＩｎｔｅｌ  Ｃｏｒｅ  ｉ７プロセッサ）を横断して分散されてもよい。いくつかの実施形態では、制御回路８０４は、メモリ（すなわち、記憶装置８０８）に記憶されたメディアガイドアプリケーションに対する命令を実行する。具体的には、制御回路８０４は、メディアガイドアプリケーションによって、上記および下記で議論される機能を果たすように命令されてもよい。例えば、メディアガイドアプリケーションは、制御回路８０４に、メディアガイド表示を生成する命令を提供してもよい。いくつかの実装では、制御回路８０４によって実施される任意のアクションは、メディアガイドアプリケーションから受信される命令に基づいてもよい。
【００８９】
クライアントサーバベースの実施形態では、制御回路８０４は、ガイドアプリケーションサーバまたは他のネットワークもしくはサーバと通信するための好適な通信回路を含んでもよい。上記の機能性を実施するための命令は、ガイドアプリケーションサーバ上に記憶されてもよい。通信回路は、ケーブルモデム、総合デジタル通信網（ＩＳＤＮ）モデム、デジタルサブスクライバ回線（ＤＳＬ）モデム、電話モデム、イーサネット（登録商標）カード、または他の機器との通信用の無線モデム、もしくは任意の他の好適な通信回路を含んでもよい。そのような通信は、インターネットまたは任意の他の好適な通信ネットワークもしくはパスを伴ってもよい（図９に関連してさらに詳細に説明される）。加えて、通信回路は、ユーザ機器デバイスのピアツーピア通信または相互から遠隔の場所にあるユーザ機器デバイスの通信を可能にする、回路を含んでもよい（以下でさらに詳細に説明される）。
【００９０】
メモリは、制御回路８０４の一部である、記憶装置８０８として提供される、電子記憶デバイスであってもよい。本明細書で参照されるように、語句「電子記憶デバイス」または「記憶デバイス」は、ランダムアクセスメモリ、読取専用メモリ、ハードドライブ、光学ドライブ、デジタルビデオディスク（ＤＶＤ）レコーダ、コンパクトディスク（ＣＤ）レコーダ、ＢＬＵ−ＲＡＹ（登録商標）ディスク（ＢＤ）レコーダ、ＢＬＵ−ＲＡＹ（登録商標）  ３Ｄディスクレコーダ、デジタルビデオレコーダ（ＤＶＲ、時として、パーソナルビデオレコーダと呼ばれることもある、またはＰＶＲ）、ソリッドステートデバイス、量子記憶デバイス、ゲームコンソール、ゲームメディア、または任意の他の好適な固定もしくはリムーバブル記憶デバイス、および／またはそれらの任意の組み合わせ等の電子データ、コンピュータソフトウェア、もしくはファームウェアを記憶するための任意のデバイスを意味すると理解されたい。記憶装置８０８は、本明細書に説明される種々のタイプのコンテンツ、ならびに上記で説明されるメディアガイドデータを記憶するために使用されてもよい。不揮発性メモリもまた、（例えば、ブートアップルーチンおよび他の命令を起動するために）使用されてもよい。図９に関連して説明される、クラウドベースの記憶装置が、記憶装置８０８を補完するために、または記憶装置８０８の代わりに使用されてもよい。
【００９１】
制御回路８０４は、１つ以上のアナログチューナ、１つ以上のＭＰＥＧ−２デコーダ、もしくは他のデジタルデコード回路、高解像度チューナ、または任意の他の好適な同調もしくはビデオ回路、もしくはそのような回路の組み合わせ等のビデオ生成回路および同調回路を含んでもよい。（例えば、記憶するために、無線、アナログ、またはデジタル信号をＭＰＥＧ信号に変換するための）符号化回路もまた、提供されてもよい。制御回路８０４はまた、コンテンツをユーザ機器８００の好ましい出力形式に上方変換および下方変換するためのスケーラ回路を含んでもよい。回路８０４はまた、デジタル信号とアナログ信号との間で変換するためのデジタル／アナログ変換回路およびアナログ／デジタル変換回路を含んでもよい。同調および符号化回路は、コンテンツを受信するために、ならびに表示する、再生する、または録画するために、ユーザ機器デバイスによって使用されてもよい。同調および符号化回路はまた、ガイドデータを受信するために使用されてもよい。例えば、同調、ビデオ生成、符号化、復号、暗号化、解読、スケーラ、およびアナログ／デジタル回路を含む、本明細書に説明される回路は、１つ以上の汎用もしくは特殊プロセッサ上で起動するソフトウェアを使用して実装されてもよい。複数のチューナが、同時同調機能（例えば、視聴および録画機能、ピクチャインピクチャ（ＰＩＰ）機能、多重チューナ録画機能等）に対処するように提供されてもよい。記憶装置８０８が、ユーザ機器８００とは別のデバイスとして提供される場合、同調および符号化回路（複数のチューナを含む）は、記憶装置８０８と関連付けられてもよい。
【００９２】
ユーザは、ユーザ入力インターフェース８１０を使用して、命令を制御回路８０４に送信してもよい。ユーザ入力インターフェース８１０は、リモートコントロール、マウス、トラックボール、キーパッド、キーボード、タッチ画面、タッチパッド、スタイラス入力、ジョイスティック、音声認識インターフェース、または他のユーザ入力インターフェース等の任意の好適なユーザインターフェースであってもよい。ディスプレイ８１２は、独立型デバイスとして提供されてもよい、またはユーザ機器デバイス８００の他の要素と統合されてもよい。例えば、ディスプレイ８１２は、タッチスクリーンまたはタッチセンサ式ディスプレイであってもよい。そのような状況では、ユーザ入力インターフェース８１０は、ディスプレイ８１２と統合されてもよい、または組み合わせられてもよい。ディスプレイ８１２は、モニタ、テレビ、モバイルデバイス用の液晶ディスプレイ（ＬＣＤ）、非晶質シリコンディスプレイ、低温ポリシリコンディスプレイ、電子インクディスプレイ、電気泳動ディスプレイ、アクティブマトリクスディスプレイ、エレクトロウェッティングディスプレイ、電気流体ディスプレイ、ブラウン管ディスプレイ、発光ダイオードディスプレイ、エレクトロルミネセントディスプレイ、プラズマディスプレイパネル、高性能アドレッシングディスプレイ、薄膜トランジスタディスプレイ、有機発光ダイオードディスプレイ、表面伝導型電子放出素子ディスプレイ（ＳＥＤ）、レーザテレビ、カーボンナノチューブ、量子ドットディスプレイ、干渉変調器ディスプレイ、または視覚画像を表示するための任意の他の好適な機器のうちの１つ以上のものであってもよい。いくつかの実施形態では、ディスプレイ８１２は、ＨＤＴＶ対応型であり得る。いくつかの実施形態では、ディスプレイ８１２は、３Ｄディスプレイであってもよく、双方向メディアガイドアプリケーションおよび任意の好適なコンテンツは、３Ｄで表示されてもよい。ビデオカードまたはグラフィックカードは、ディスプレイ８１２への出力を生成してもよい。ビデオカードは、３Ｄシーンおよび２Ｄグラフィックのレンダリング加速、ＭＰＥＧ−２／ＭＰＥＧ−４復号、ＴＶ出力、または複数のモニタを接続する能力等の種々の機能を提供し得る。ビデオカードは、制御回路８０４に関連して上記で説明される任意の処理回路であってもよい。ビデオカードは、制御回路８０４と統合されてもよい。スピーカ８１４は、ユーザ機器デバイス８００の他の要素と統合されたものとして提供されてもよい、または独立型ユニットであってもよい。ディスプレイ８１２上に表示されるビデオおよび他のコンテンツのオーディオコンポーネントは、スピーカ８１４を通して再生されてもよい。いくつかの実施形態では、音声は、スピーカ８１４を介して音声を処理および出力する、受信機（図示せず）に配信されてもよい。
【００９３】
ガイドアプリケーションは、任意の好適なアーキテクチャを使用して実装されてもよい。例えば、これは、ユーザ機器デバイス８００上で完全に実装される独立型アプリケーションであってもよい。そのようなアプローチでは、アプリケーションの命令は、ローカルで（例えば、記憶装置８０８の中に）記憶され、アプリケーションによって使用するためのデータは、周期的にダウンロードされる（例えば、帯域外フィードから、インターネットリソースから、または別の好適なアプローチを使用して）。制御回路８０４は、記憶装置８０８からアプリケーションの命令を読み出し、本明細書で議論される表示のうちのいずれかを生成する命令を処理してもよい。処理された命令に基づいて、制御回路８０４は、入力が入力インターフェース８１０から受信されるときに実施するアクションを決定してもよい。例えば、表示上のカーソルの上／下への移動は、入力インターフェース８１０が上／下ボタンが選択されたことを示すときに、処理された命令によって示されてもよい。
【００９４】
いくつかの実施形態では、メディアガイドアプリケーションは、クライアントサーバベースのアプリケーションである。ユーザ機器デバイス８００上に実装される、シックまたはシンクライアントによって使用するためのデータは、ユーザ機器デバイス８００の遠隔にあるサーバに要求を発行することによって、オンデマンドで読み出される。クライアントサーバベースのガイドアプリケーションの一実施例では、制御回路８０４は、遠隔サーバによって提供されるウェブページを解釈する、ウェブブラウザを起動する。例えば、遠隔サーバは、記憶デバイス内にアプリケーションのための命令を記憶してもよい。遠隔サーバは、回路（例えば、制御回路８０４）を使用して、記憶された命令を処理し、上記および下記で議論される表示を生成してもよい。クライアントデバイスは、遠隔サーバによって生成される表示を受信してもよく、表示のコンテンツを機器デバイス８００上でローカルに表示してもよい。このように、命令の処理が、サーバによって遠隔で実施される一方で、結果として生じる表示は、機器デバイス８００上でローカルに提供される。機器デバイス８００は、入力インターフェース８１０を介して、ユーザから入力を受信し、対応する表示を処理および生成するために、それらの入力を遠隔サーバに伝送してもよい。例えば、機器デバイス８００は、上／下ボタンが入力インターフェース８１０を介して選択されたことを示す、通信を遠隔サーバに伝送してもよい。遠隔サーバは、その入力に従って命令を処理し、入力に対応するアプリケーションの表示を生成してもよい（例えば、カーソルを上／下に移動させる表示）。生成された表示は、次いで、ユーザへの提示のために、機器デバイス８００に伝送される。
【００９５】
いくつかの実施形態では、メディアガイドアプリケーションは、インタープリタまたは仮想マシン（制御回路８０４によって起動される）によって、ダウンロードされ、解釈または別様に起動される。いくつかの実施形態では、ガイドアプリケーションは、ＥＴＶバイナリ交換形式（ＥＴＶ  Ｂｉｎａｒｙ  Ｉｎｔｅｒｃｈａｎｇｅ  Ｆｏｒｍａｔ／ＥＢＩＦ）で符号化され、好適なフィードの一部として制御回路８０４によって受信され、制御回路８０４上で起動するユーザエージェントによって解釈されてもよい。例えば、ガイドアプリケーションは、ＥＢＩＦアプリケーションであってもよい。いくつかの実施形態では、ガイドアプリケーションは、制御回路８０４によって実行されるローカル仮想マシンまたは他の好適なミドルウェアによって受信および起動される、一連のＪＡＶＡ（登録商標）ベースのファイルによって定義されてもよい。そのような実施形態のうちのいくつか（例えば、ＭＰＥＧ−２または他のデジタルメディア符号化方式を採用するもの）では、ガイドアプリケーションは、例えば、番組のＭＰＥＧオーディオおよびビデオパケットを用いたＭＰＥＧ−２オブジェクトカルーセルにおいて符号化ならびに伝送されてもよい。
【００９６】
図８のユーザ機器デバイス８００は、ユーザテレビ機器９０２、ユーザコンピュータ機器９０４、無線ユーザ通信デバイス９０６、または非携帯用ゲーム機等のコンテンツにアクセスするために好適な任意の他のタイプのユーザ機器として、図９のシステム９００に実装されることができる。簡単にするために、これらのデバイスは、本明細書では総称して、ユーザ機器またはユーザ機器デバイスと称されてもよく、上記で説明されるユーザ機器デバイスに実質的に類似し得る。メディアガイドアプリケーションが実装され得る、ユーザ機器デバイスは、独立型デバイスとして機能してもよい、またはデバイスのネットワークの一部であってもよい。デバイスの種々のネットワーク構成が実装されてもよく、以下でさらに詳細に議論される。
【００９７】
図８に関連して上記で説明されるシステム特徴のうちの少なくともいくつかを利用する、ユーザ機器デバイスは、単に、ユーザテレビ機器９０２、ユーザコンピュータ機器９０４、または無線ユーザ通信デバイス９０６として分類されなくてもよい。例えば、ユーザテレビ機器９０２が、あるユーザコンピュータ機器９０４のように、インターネットコンテンツへのアクセスを可能にするインターネット対応型であり得る一方で、ユーザコンピュータ機器９０４は、あるテレビ機器９０２のように、テレビ番組へのアクセスを可能にするチューナを含んでもよい。メディアガイドアプリケーションは、種々の異なるタイプのユーザ機器上で同一のレイアウトを有してもよく、またはユーザ機器の表示能力に合わせられてもよい。例えば、ユーザコンピュータ機器９０４上では、ガイドアプリケーションは、ウェブブラウザによってアクセスされるウェブサイトとして提供されてもよい。別の実施例では、ガイドアプリケーションは、無線ユーザ通信デバイス９０６用に縮小されてもよい。
【００９８】
システム９００では、典型的には、各タイプのユーザ機器デバイスが１つを上回って存在するが、図面が複雑になり過ぎることを回避するように、それぞれ１つだけが図９に示されている。加えて、各ユーザは、１つを上回るタイプのユーザ機器デバイスと、また、各タイプのユーザ機器デバイスのうちの１つを上回るものとを利用してもよい。
【００９９】
いくつかの実施形態では、ユーザ機器デバイス（例えば、ユーザテレビ機器９０２、ユーザコンピュータ機器９０４、無線ユーザ通信デバイス９０６）は、「第２の画面デバイス」と称されてもよい。例えば、第２の画面デバイスは、第１のユーザ機器デバイス上に提示されるコンテンツを補完してもよい。第２の画面デバイス上に提示されるコンテンツは、第１のデバイス上に提示されるコンテンツを補完する、任意の好適なコンテンツであってもよい。いくつかの実施形態では、第２の画面デバイスは、第１のデバイスの設定および表示選好を調節するためのインターフェースを提供する。いくつかの実施形態では、第２の画面デバイスは、他の第２の画面デバイスと相互作用するため、またはソーシャルネットワークと相互作用するために構成される。第２の画面デバイスは、第１のデバイスと同一の部屋内に、第１のデバイスと異なる部屋であるが同一の家もしくは建物内に、または第１のデバイスと異なる建物内に位置することができる。
【０１００】
ユーザはまた、家庭内デバイスおよび遠隔デバイスを横断して一貫したメディアガイドアプリケーション設定を維持するように、種々の設定を設定してもよい。設定は、本明細書に説明されるもの、ならびにお気に入りのチャンネルおよび番組、番組を推奨するためにガイドアプリケーションが利用する番組選好、表示選好、および他の望ましいガイド設定を含む。例えば、ユーザが、オフィスのパーソナルコンピュータ上で、例えば、ウェブサイトｗｗｗ．ａｌｌｒｏｖｉ．ｃｏｍの上でチャンネルをお気に入りとして設定した場合、同一のチャンネルが、ユーザの家庭内デバイス（例えば、ユーザテレビ機器およびユーザコンピュータ機器）上で、ならびに所望される場合、ユーザのモバイルデバイス上で、お気に入りとして表示されるであろう。したがって、同一タイプのユーザ機器デバイスであるかまたは異なるタイプのユーザ機器デバイスであるかにかかわらず、１つのユーザ機器デバイス上で行われる変更は、別のユーザ機器デバイス上のガイド体験を変更することができる。加えて、行われる変更は、ユーザによって入力される設定、ならびにガイドアプリケーションによって監視されるユーザアクティビティに基づいてもよい。
【０１０１】
ユーザ機器デバイスは、通信ネットワーク９１４に結合されてもよい。すなわち、ユーザテレビ機器９０２、ユーザコンピュータ機器９０４、および無線ユーザ通信デバイス９０６は、それぞれ、通信パス９０８、９１０、および９１２を介して、通信ネットワーク９１４に結合される。通信ネットワーク９１４は、インターネット、携帯電話ネットワーク、モバイルボイスまたはデータネットワーク（例えば、４ＧもしくはＬＴＥネットワーク）、ケーブルネットワーク、公衆交換電話ネットワーク、または他のタイプの通信ネットワーク、もしくは通信ネットワークの組み合わせを含む、１つ以上のネットワークであってもよい。パス９０８、９１０、および９１２は、別個または一緒に、衛星パス、光ファイバパス、ケーブルパス、インターネット通信をサポートするパス（例えば、ＩＰＴＶ）、フリースペース接続（例えば、放送もしくは他の無線信号用）、または任意の他の好適な有線もしくは無線通信パス、またはそのようなパスの組み合わせ等の１つ以上の通信パスを含んでもよい。パス９１２は、図９に示される例示的実施形態では、無線パスであることを示すように点線で描かれ、パス９０８および９１０は、有線パスであることを示すように実線として描かれている（但し、これらのパスは、所望される場合、無線パスであってもよい）。ユーザ機器デバイスとの通信は、これらの通信パスのうちの１つ以上のものによって提供されてもよいが、図９では、図面が複雑になり過ぎることを回避するように、単一パスとして示されている。
【０１０２】
通信パスは、ユーザ機器デバイスの間には描かれていないが、これらのデバイスは、パス９０８、９１０、および９１２に関連して上記に説明されるもの、ならびにＵＳＢケーブル、ＩＥＥＥ１３９４ケーブル、無線パス（例えば、Ｂｌｕｅｔｏｏｔｈ（登録商標）、赤外線、ＩＥＥＥ８０２−１１ｘ等）等の他の短距離ポイントツーポイント通信パス、または有線もしくは無線パスを介した他の短距離通信等の通信パスを介して、相互に直接通信してもよい。ＢＬＵＥＴＯＯＴＨ（登録商標）は、Ｂｌｕｅｔｏｏｔｈ  ＳＩＧ，  ＩＮＣ．によって所有される認証マークである。ユーザ機器デバイスはまた、通信ネットワーク９１４を介した間接パスを通して、相互に直接通信してもよい。
【０１０３】
システム９００は、それぞれ、通信経路９２０および９２２を介して通信ネットワーク９１４に結合される、コンテンツソース９１６およびメディアガイドデータソース９１８を含む。経路９２０および９２２は、経路９０８、９１０、および９１２に関連して上記で説明される通信パスのうちのいずれかを含んでもよい。コンテンツソース９１６およびメディアガイドデータソース９１８との通信は、１つ以上の通信パスを経由して交信されてもよいが、図９では、図面が複雑になり過ぎることを回避するように単一パスとして示される。加えて、コンテンツソース９１６およびメディアガイドデータソース９１８がそれぞれ、１つを上回って存在し得るが、図面が複雑になり過ぎることを回避するように、それぞれ１つだけが図９に示されている。（異なるタイプのこれらのソースがそれぞれ、以下で議論される。）所望される場合、コンテンツソース９１６およびメディアガイドデータソース９１８は、１つのソースデバイスとして統合されてもよい。ユーザ機器デバイス９０２、９０４、および９０６とのソース９１６および９１８の間の通信は、通信ネットワーク９１４を通したものとして示されるが、いくつかの実施形態では、ソース９１６および９１８は、経路９０８、９１０、および９１２に関連して上記で説明されるもの等の通信パス（図示せず）を介して、ユーザ機器デバイス９０２、９０４、および９０６と直接通信してもよい。
【０１０４】
コンテンツソース９１６は、テレビ配信施設、ケーブルシステムヘッドエンド、衛星配信施設、番組ソース（例えば、ＮＢＣ、ＡＢＣ、ＨＢＯ等のテレビ放送会社）、中間配信施設および／またはサーバ、インターネットプロバイダ、オンデマンドメディアサーバ、ならびに他のコンテンツプロバイダを含む、１つ以上のタイプのコンテンツ配信機器を含んでもよい。ＮＢＣは、Ｎａｔｉｏｎａｌ  Ｂｒｏａｄｃａｓｔｉｎｇ  Ｃｏｍｐａｎｙ，  Ｉｎｃ．によって所有される商標であり、ＡＢＣは、Ａｍｅｒｉｃａｎ  Ｂｒｏａｄｃａｓｔｉｎｇ  Ｃｏｍｐａｎｙ，  ＩＮＣ．によって所有される商標であり、ＨＢＯは、Ｈｏｍｅ  Ｂｏｘ  Ｏｆｆｉｃｅ，  Ｉｎｃ．によって所有される商標である。コンテンツソース９１６は、コンテンツの発信元であってもよい（例えば、テレビ放送会社、ウェブキャストプロバイダ等）、またはコンテンツの発信元でなくてもよい（例えば、オンデマンドコンテンツプロバイダ、ダウンロード用放送番組のコンテンツのインターネットプロバイダ等）。コンテンツソース９１６は、ケーブルソース、衛星プロバイダ、オンデマンドプロバイダ、インターネットプロバイダ、オーバーザトップコンテンツプロバイダ、またはコンテンツの他のプロバイダを含んでもよい。コンテンツソース９１６はまた、ユーザ機器デバイスのうちのいずれかから遠隔の場所にある、異なるタイプのコンテンツ（ユーザによって選択されるビデオコンテンツを含む）を記憶するために使用される、遠隔メディアサーバを含んでもよい。コンテンツの遠隔記憶のため、および遠隔に記憶されたコンテンツをユーザ機器に提供するためのシステムならびに方法は、参照することによりその全体として本明細書に組み込まれる、２０１０年７月２０日に発行されたＥｌｌｉｓ  ｅｔ  ａｌ．の米国特許第７，７６１，８９２号に関連して、さらに詳細に議論されている。
【０１０５】
メディアガイドデータソース９１８は、上記で説明されるメディアガイドデータ等のメディアガイドデータを提供してもよい。メディアガイドデータは、任意の好適なアプローチを使用して、ユーザ機器デバイスに提供されてもよい。いくつかの実施形態では、ガイドアプリケーションは、データフィード（例えば、継続フィードまたはトリクルフィード）を介して、番組ガイドデータを受信する、独立型双方向テレビ番組ガイドであってもよい。番組スケジュールデータおよび他のガイドデータは、テレビチャンネルのサイドバンド上で、帯域内デジタル信号を使用して、帯域外デジタル信号を使用して、または任意の他の好適なデータ伝送技術によって、ユーザ機器に提供されてもよい。番組スケジュールデータおよび他のメディアガイドデータは、複数のアナログまたはデジタルテレビチャンネル上でユーザ機器に提供されてもよい。
【０１０６】
いくつかの実施形態では、メディアガイドデータソース９１８からのガイドデータは、クライアントサーバアプローチを使用して、ユーザの機器に提供されてもよい。例えば、ユーザ機器デバイスは、メディアガイドデータをサーバからプルしてもよい、またはサーバは、メディアガイドデータをユーザ機器デバイスにプッシュしてもよい。いくつかの実施形態では、ユーザの機器上に常駐するガイドアプリケーションクライアントは、必要とされるときに、例えば、ガイドデータが古くなっているときに、またはユーザ機器デバイスがデータを受信する要求をユーザから受信するときに、ソース９１８とセッションを開始し、ガイドデータを取得してもよい。メディアガイドは、任意の好適な頻度で（例えば、継続的に、毎日、ユーザ規定期間で、システム規定期間で、ユーザ機器からの要求に応答して等）ユーザ機器に提供されてもよい。メディアガイドデータソース９１８は、ユーザ機器デバイス９０２、９０４、および９０６に、メディアガイドアプリケーション自体、またはメディアガイドアプリケーションのソフトウェア更新を提供してもよい。
【０１０７】
いくつかの実施形態では、メディアガイドデータは、視聴者データを含んでもよい。例えば、視聴者データは、現在および／または履歴ユーザアクティビティ情報（例えば、ユーザが典型的に見るコンテンツ、ユーザがコンテンツを見る時刻、ユーザがソーシャルネットワークと相互作用するかどうか、ユーザがソーシャルネットワークと相互作用し、情報をポストする時間、ユーザが典型的に見るコンテンツのタイプ（例えば、有料ＴＶまたは無料ＴＶ）、気分、脳の活動情報等）を含んでもよい。メディアガイドデータはまた、サブスクリプションデータを含んでもよい。例えば、サブスクリプションデータは、所与のユーザがサブスクライブするソースもしくはサービスおよび／または所与のユーザが以前にサブスクライブしていたが、後にアクセスを打ち切ったソースもしくはサービス（例えば、ユーザがプレミアムチャンネルにサブスクライブしているかどうか、ユーザがプレミアムレベルのサービスを追加したかどうか、ユーザがインターネット速度を加速させたかどうか）を識別してもよい。いくつかの実施形態では、視聴者データおよび／またはサブスクリプションデータは、１年を上回る周期の間の所与のユーザのパターンを識別してもよい。メディアガイドデータは、所与のユーザがサービス／ソースへのアクセスを打ち切るであろう可能性を示すスコアを生成するために使用される、モデル（例えば、残存者モデル）を含んでもよい。例えば、メディアガイドアプリケーションは、所与のユーザが特定のサービスまたはソースへのアクセスを打ち切るであろうかどうかの可能性を示す、値またはスコアを生成するためのモデルを併用して、サブスクリプションデータとともに視聴者データを処理してもよい。特に、より高いスコアは、ユーザが特定のサービスまたはソースへのアクセスを打ち切るであろう、より高いレベルの信頼性を示し得る。スコアに基づいて、メディアガイドアプリケーションは、ユーザがアクセスを打ち切る可能性が高いであろうものとしてスコアによって示される、特定のサービスまたはソースをユーザが保持するように勧誘する宣伝および広告を生成してもよい。
【０１０８】
メディアガイドアプリケーションは、例えば、ユーザ機器デバイス上に実装される独立型アプリケーションであってもよい。例えば、メディアガイドアプリケーションは、記憶装置８０８内に記憶され、ユーザ機器デバイス８００の制御回路８０４によって実行され得る、ソフトウェアまたは実行可能命令のセットとして実装されてもよい。いくつかの実施形態では、メディアガイドアプリケーションは、クライアント−サーバアプリケーションであってもよく、その場合、クライアントアプリケーションのみが、ユーザ機器デバイス上に常駐し、サーバアプリケーションは、遠隔サーバ上に常駐する。例えば、メディアガイドアプリケーションは、部分的にユーザ機器デバイス８００の制御回路８０４上のクライアントアプリケーションとして、および遠隔サーバの制御回路上で起動するサーバアプリケーション（例えば、メディアガイドデータソース９１８）として部分的に遠隔サーバ上に、実装されてもよい。遠隔サーバの制御回路（メディアガイドデータソース９１８等）によって実行されると、メディアガイドアプリケーションは、ガイドアプリケーション表示を生成し、生成された表示をユーザ機器デバイスに伝送するように、制御回路に命令してもよい。サーバアプリケーションは、ユーザ機器上に記憶するためのデータを伝送するように、メディアガイドデータソース９１８の制御回路に命令してもよい。クライアントアプリケーションは、ガイドアプリケーション表示を生成するように、受信用ユーザ機器の制御回路に命令してもよい。
【０１０９】
ユーザ機器デバイス９０２、９０４、および９０６に配信されるコンテンツならびに／またはメディアガイドデータは、オーバーザトップ（ＯＴＴ）コンテンツであってもよい。ＯＴＴコンテンツ配信は、上記で説明される任意のユーザ機器デバイスを含む、インターネット対応型ユーザデバイスが、ケーブルまたは衛星接続を経由して受信されるコンテンツに加えて、上記で説明される任意のコンテンツを含む、インターネットを経由して転送されるコンテンツを受信することを可能にする。ＯＴＴコンテンツは、インターネットサービスプロバイダ（ＩＳＰ）によって提供されるインターネット接続を介して配信されるが、第三者も、コンテンツを配信する。ＩＳＰは、視聴能力、著作権、またはコンテンツの再配信に責任がない場合があり、ＯＴＴコンテンツプロバイダによって提供されるＩＰパケットのみ転送してもよい。ＯＴＴコンテンツプロバイダの実施例は、ＩＰパケットを介して、オーディオおよびビデオを提供する、ＹＯＵＴＵＢＥ（登録商標）、ＮＥＴＦＬＩＸ、ならびにＨＵＬＵを含む。Ｙｏｕｔｕｂｅは、Ｇｏｏｇｌｅ  Ｉｎｃ．によって所有される商標であり、Ｎｅｔｆｌｉｘは、Ｎｅｔｆｌｉｘ，  Ｉｎｃ．によって所有される商標であり、Ｈｕｌｕは、Ｈｕｌｕ，  ＬＬＣ．によって所有される商標である。ＯＴＴコンテンツプロバイダは、加えて、または代替として、上記で説明されるメディアガイドデータを提供してもよい。コンテンツおよび／またはメディアガイドデータに加えて、ＯＴＴコンテンツのプロバイダは、メディアガイドアプリケーション（例えば、ウェブベースのアプリケーションもしくはクラウドベースのアプリケーション）を配信することができる、またはコンテンツは、ユーザ機器デバイス上に記憶されたメディアガイドアプリケーションによって表示されることができる。
【０１１０】
メディアガイドシステム９００は、いくつかのアプローチまたはネットワーク構成を例証することを意図しており、これによって、ユーザ機器デバイスならびにコンテンツおよびガイドデータのソースは、コンテンツにアクセスし、メディアガイドを提供する目的のために、相互に通信してもよい。本明細書に説明される実施形態は、これらのアプローチのうちのいずれか１つまたは一部において、もしくはコンテンツを配信し、メディアガイドを提供するための他のアプローチを採用するシステムにおいて、適用されてもよい。以下の４つのアプローチは、図９の一般化実施例の特定の例証を提供する。
【０１１１】
あるアプローチでは、ユーザ機器デバイスは、ホームネットワーク内で相互に通信してもよい。ユーザ機器デバイスは、上記で説明される短距離ポイントツーポイント通信方式を介して、ホームネットワーク上に提供されるハブもしくは他の類似デバイスを通した間接パスを介して、または通信ネットワーク９１４を介して、相互に直接通信することができる。１つの家庭内の複数の個人はそれぞれ、ホームネットワーク上の異なるユーザ機器デバイスを動作させてもよい。結果として、種々のメディアガイド情報または設定が、異なるユーザ機器デバイスの間で通信されることが望ましくあり得る。例えば、２００５年７月１１日に出願されたＥｌｌｉｓ  ｅｔ  ａｌ．の米国特許公開第２００５／０２５１８２７号でさらに詳細に説明されるように、ホームネットワーク内の異なるユーザ機器デバイス上で、ユーザが一貫したメディアガイドアプリケーション設定を維持することが望ましくあり得る。ホームネットワーク内の異なるタイプのユーザ機器デバイスもまた、相互に通信し、コンテンツを伝送してもよい。例えば、ユーザは、ユーザコンピュータ機器から携帯用ビデオプレーヤまたは携帯用音楽プレーヤにコンテンツを伝送してもよい。
【０１１２】
第２のアプローチでは、ユーザは、複数のタイプのユーザ機器を有してもよく、これによって、コンテンツにアクセスし、メディアガイドを取得する。例えば、一部のユーザは、家庭内およびモバイルデバイスによってアクセスされる、ホームネットワークを有してもよい。ユーザは、遠隔デバイス上に実装されるメディアガイドアプリケーションを介して、家庭内デバイスを制御してもよい。例えば、ユーザは、オフィスのパーソナルコンピュータ、またはＰＤＡもしくはウェブ対応携帯電話等のモバイルデバイスを介して、ウェブサイト上のオンラインメディアガイドアプリケーションにアクセスしてもよい。ユーザは、オンラインガイドアプリケーション上で種々の設定（例えば、録画、リマインダ、または他の設定）を設定して、ユーザの家庭内機器を制御してもよい。オンラインガイドは、直接、またはユーザの家庭内機器上のメディアガイドアプリケーションと通信することによって、ユーザの機器を制御してもよい。ユーザ機器デバイスが相互から遠隔の場所にある、ユーザ機器デバイスの通信のための種々のシステムおよび方法は、例えば、参照することによりその全体として本明細書に組み込まれる、２０１１年１０月２５日に発行されたＥｌｌｉｓ  ｅｔ  ａｌ．の米国特許第８，０４６，８０１号で議論されている。
【０１１３】
第３のアプローチでは、家庭内外のユーザ機器デバイスのユーザは、コンテンツソース９１６と直接通信し、コンテンツにアクセスするために、そのメディアガイドアプリケーションを使用することができる。具体的には、家庭内では、ユーザテレビ機器９０２およびユーザコンピュータ機器９０４のユーザは、メディアガイドアプリケーションにアクセスし、望ましいコンテンツ間をナビゲートし、それを特定してもよい。ユーザはまた、無線ユーザ通信デバイス９０６を使用して、家庭外のメディアガイドアプリケーションにアクセスし、望ましいコンテンツ間をナビゲートし、それを特定してもよい。
【０１１４】
第４のアプローチでは、ユーザ機器デバイスは、クラウドコンピューティング環境内で動作し、クラウドサービスにアクセスしてもよい。クラウドコンピューティング環境では、コンテンツ共有、記憶、または配信のための種々のタイプのコンピューティングサービス（例えば、ビデオ共有サイトもしくはソーシャルネットワーキングサイト）が、「クラウド」と称される、ネットワークアクセス可能コンピューティングおよび記憶リソースの集合によって提供される。例えば、クラウドは、通信ネットワーク９１４を介したインターネット等のネットワークを介して接続される、種々のタイプのユーザおよびデバイスにクラウドベースのサービスを提供する、中央に、または分散場所に位置し得る、サーバコンピューティングデバイスの集合を含むことができる。これらのクラウドリソースは、１つ以上のコンテンツソース９１６および１つ以上のメディアガイドデータソース９１８を含んでもよい。加えて、または代替として、遠隔コンピューティングサイトは、ユーザテレビ機器９０２、ユーザコンピュータ機器９０４、および無線ユーザ通信デバイス９０６等の他のユーザ機器デバイスを含んでもよい。例えば、他のユーザ機器デバイスは、ビデオの記憶されたコピーまたはストリーミングされたビデオへのアクセスを提供してもよい。そのような実施形態では、ユーザ機器デバイスは、中央サーバと通信することなく、ピアツーピア様式で動作してもよい。
【０１１５】
クラウドは、ユーザ機器デバイスのために、いくつかある実施例の中でもとりわけ、コンテンツ記憶、コンテンツ共有、またはソーシャルネットワーキングサービス等のサービスへのアクセス、ならびに上記で説明される任意のコンテンツへのアクセスを提供する。サービスは、クラウドコンピューティングサービスプロバイダを通して、またはオンラインサービスの他のプロバイダを通して、クラウド内で提供されることができる。例えば、クラウドベースのサービスは、コンテンツ記憶サービス、コンテンツ共有サイト、ソーシャルネットワーキングサイト、または他のサービスを含むことができ、それを介して、ユーザ供給コンテンツは、接続されたデバイス上で他者によって視聴するために配信される。これらのクラウドベースのサービスは、ユーザ機器デバイスが、コンテンツをローカルに記憶し、ローカルに記憶されたコンテンツにアクセスするのではなく、コンテンツをクラウドに記憶し、コンテンツをクラウドから受信することを可能にしてもよい。
【０１１６】
ユーザは、カムコーダ、ビデオモード付きデジタルカメラ、オーディオレコーダ、携帯電話、およびハンドヘルドコンピューティングデバイス等の種々のコンテンツ捕捉デバイスを使用して、コンテンツを録画してもよい。ユーザは、直接、例えば、ユーザコンピュータ機器９０４から、またはコンテンツ捕捉特徴を有する無線ユーザ通信デバイス９０６からのいずれかにおいて、クラウド上のコンテンツ記憶サービスにコンテンツをアップロードすることができる。代替として、ユーザは、最初に、コンテンツをユーザコンピュータ機器９０４等のユーザ機器デバイスに転送することができる。コンテンツを記憶するユーザ機器デバイスは、通信ネットワーク９１４上のデータ伝送サービスを使用して、コンテンツをクラウドにアップロードする。いくつかの実施形態では、ユーザ機器デバイス自体が、クラウドリソースであり、他のユーザ機器デバイスは、ユーザがコンテンツを記憶したユーザ機器デバイスから直接、コンテンツにアクセスすることができる。
【０１１７】
クラウドリソースは、例えば、ウェブブラウザ、メディアガイドアプリケーション、デスクトップアプリケーション、モバイルアプリケーション、および／またはそれらのアクセスアプリケーションの任意の組み合わせを使用して、ユーザ機器デバイスによってアクセスされてもよい。ユーザ機器デバイスは、アプリケーション配信のためにクラウドコンピューティングに依拠するクラウドクライアントであってもよい、またはユーザ機器デバイスは、クラウドリソースにアクセスすることなく、ある機能性を有してもよい。例えば、ユーザ機器デバイス上で起動するいくつかのアプリケーションが、クラウドアプリケーション、すなわち、インターネットを経由してサービスとして配信されるアプリケーションであってもよい一方で、他のアプリケーションは、ユーザ機器デバイス上に記憶および起動されてもよい。いくつかの実施形態では、ユーザデバイスは、コンテンツを複数のクラウドリソースから同時に受信してもよい。例えば、ユーザデバイスは、オーディオを１つのクラウドリソースからストリーミングする一方で、コンテンツを第２のクラウドリソースからダウンロードすることができる。または、ユーザデバイスは、より効率的なダウンロードのために、コンテンツを複数のクラウドリソースからダウンロードすることができる。いくつかの実施形態では、ユーザ機器デバイスは、図８に関連して説明される処理回路によって実施される処理動作等の処理動作のために、クラウドリソースを使用することができる。
【０１１８】
本明細書で参照されるように、用語「〜に応答して」は、「〜の結果として開始される」ことを指す。例えば、第２アクションに応答して実施されている第１のアクションは、第１のアクションと第２のアクションとの間に介在ステップを含んでもよい。本明細書で参照されるように、用語「〜に直接応答して」は、「〜によって引き起こされる」ことを指す。例えば、第２アクションに直接応答して実施されている第１のアクションは、第１のアクションと第２のアクションとの間に介在ステップを含まなくてもよい。
【０１１９】
図１０は、本開示のいくつかの実施形態による、第１のコンテキスト用語および時間的ナレッジグラフに基づいて、テキストセグメント内の第１の未知の用語の意味を決定することに関与する例証的ステップのフローチャートである。プロセス１０００は、未知の用語が曖昧であるかどうかを決定し、未知の用語の意味を決定するために使用されてもよい。プロセス１０００またはその任意のステップは、図８−９に示されるデバイスのうちのいずれかの上で実施され得る、もしくはそれによって提供され得ることに留意されたい。例えば、プロセス１０００は、ユーザ機器９０２、９０４、および／または９０６（図９）上に実装される双方向メディアガイドアプリケーションによって命令されるように、制御回路８０４（図８）によって実行されてもよい。加えて、プロセス１０００の１つ以上のステップは、いずれかの他のプロセスもしくは実施形態の１つ以上のステップに組み込まれてもよい、もしくはそれと組み合わせられてもよい。
【０１２０】
プロセス１０００は、制御回路８０４がテキストセグメント内の第１の未知の用語を識別する、１００２から始まる。例えば、制御回路８０４は、用語「Ｃｌｉｎｔｏｎ」１０６をテキストセグメント「Ｂｅｒｎｉｅ  Ｓａｎｄｅｒｓ  ｈａｓ  ｊｕｓｔ  ｃａｌｌｅｄ  ｏｕｔ  Ｃｌｉｎｔｏｎ  ｆｏｒ  ｓｏｌｉｃｉｔｉｎｇ  ｄｏｎａｔｉｏｎｓ  ｆｒｏｍ  ｂａｎｋｓ  ａｎｄ  ｃｏｒｐｏｒａｔｉｏｎｓ」１０２の第１の未知の用語として識別してもよい。プロセス１０００は、制御回路８０４が第１のコンテキスト用語に関してテキストセグメントを分析する、１００４に続く。双方向メディアガイドアプリケーションは、テキストマイニング技法を使用し、テキストセグメント１０２内の第１のコンテキスト用語を決定してもよい。制御回路８０４は、「Ｂｅｒｎｉｅ  Ｓａｎｄｅｒｓ」１０４を第１のコンテキスト用語として識別してもよい。プロセス１０００は、制御回路８０４が、第１のコンテキスト用語と関連付けられる第１のナレッジグラフにアクセスし、第１の未知の用語の意味である潜在的用語を識別することによって、第１の未知の用語の意味を決定する、１００６に続く。例えば、制御回路８０４は、ナレッジグラフ４００にアクセスし、第１の未知の用語「Ｃｌｉｎｔｏｎ」１０６の意味である潜在的用語を識別してもよい。プロセス１０００は、制御回路８０４が、第１のナレッジグラフが第１の未知の用語の意味であり得る１つを上回る潜在的用語を含むかどうかを決定する、１００８に続く。例えば、制御回路８０４は、ブール比較関数を使用し、ナレッジグラフ４００内の潜在的用語の数に対応するカウンタの値が１を上回るかどうかを決定してもよい。
【０１２１】
１００８において、制御回路８０４が、第１のナレッジグラフが第１の未知の用語の意味であり得る１つを上回る潜在的用語を含むことを決定する場合、プロセス１０００は、１０１６上に続く。１０１６において、制御回路８０４は、テキストセグメントと関連付けられるタイムスタンプを決定する。例えば、制御回路８０４は、テキストセグメント１０２と関連付けられるタイムスタンプが「Ｊａｎｕａｒｙ  １１，  ２０１６」１０８であると決定してもよい。プロセス１０００は、制御回路８０４が、第１のコンテキスト用語と関連付けられ、タイムスタンプに関連する第２のナレッジグラフにアクセスし、第１の未知の用語の意味である潜在的用語を決定することによって、第１の未知の用語の意味を決定する、１０１８に続く。例えば、制御回路８０４は、第１のコンテキスト用語「Ｂｅｒｎｉｅ  Ｓａｎｄｅｒｓ」１０４と関連付けられ、タイムスタンプ「Ｊａｎｕａｒｙ  １１，  ２０１６」１０８に関連するナレッジグラフ５００にアクセスし、第１の未知の用語「Ｃｌｉｎｔｏｎ」１０６の意味である潜在的用語を決定してもよい。制御回路８０４は、前述で議論された技法を使用して、ナレッジグラフ５００内のノード「Ｈｉｌｌａｒｙ  Ｃｌｉｎｔｏｎ」５１０を第１の未知の用語「Ｃｌｉｎｔｏｎ」１０６の意味として識別してもよい。
【０１２２】
１００８において、制御回路８０４が、第１のナレッジグラフが第１の未知の用語の意味であり得る１つを上回る潜在的用語を含まないことを決定する場合、プロセス１０００は、１０１０上に続く。１０１０において、制御回路８０４は、第１のナレッジベースが第１の未知の用語の意味である潜在的用語を含まないかどうかを決定する。１０１０において、制御回路８０４が、第１のナレッジベースが第１の未知の用語の意味である潜在的用語を含まないことを決定する場合、プロセス１０００は、１０１２に続く。１０１２において、プロセス１０１０が終了する。１０１０では、制御回路８０４が、第１のナレッジベースが第１の未知の用語の意味である潜在的用語を含むことを決定する場合、プロセス１０００は、１０１４に続く。１０１４において、制御回路８０４は、潜在的用語が第１の未知の用語の意味であることを決定する。
【０１２３】
図１０のステップまたは説明は、本開示の任意の他の実施形態とともに使用され得ることが考慮される。加えて、図１０に関して説明されるステップおよび説明は、本開示の目的を促進するように、代替的な順序で、または並行して行われてもよい。例えば、これらのステップはそれぞれ、システムまたは方法の遅延を低減させる、もしくは速度を増加させるように、任意の順序で、または並行して、もしくは同時に実施されてもよい。
【０１２４】
図１１は、本開示のいくつかの実施形態による、第１のコンテキスト用語と関連付けられ、テキストセグメントのタイムスタンプに関連する第２のナレッジグラフにアクセスすることによって、第１の未知の用語の意味を決定するときに、ステップ１０１８（図１０）に関与する例証的ステップのフローチャートである。プロセス１１００またはその任意のステップは、図８−９に示されるデバイスのうちのいずれかの上で実施され得る、もしくはそれによって提供され得ることに留意されたい。例えば、プロセス１１００は、ユーザ機器９０２、９０４、および／または９０６（図９）上に実装される双方向メディアガイドアプリケーションによって命令されるように、制御回路８０４（図８）によって実行されてもよい。加えて、プロセス１０００の１つ以上のステップは、いずれかの他のプロセスもしくは実施形態の１つ以上のステップに組み込まれてもよい、もしくはそれと組み合わせられてもよい。
【０１２５】
プロセス１１００は、制御回路８０４が、第１のコンテキスト用語と関連付けられ、タイムスタンプに関連する第２のナレッジグラフにアクセスし、第１の未知の用語の意味である潜在的用語を決定することによって、第１の未知の用語の意味を決定するためのプロセスを開始する、１１０２から始まる。プロセス１１００は、制御回路８０４が、特定の時間間隔を決定し、特定の時間間隔の位置が、テキストセグメントのタイムスタンプに基づいて決定される、１１０４に続く。特定の時間間隔は、デフォルト時間間隔（例えば、２週間）であってもよい。例えば、制御回路８０４は、「Ｊａｎｕａｒｙ  １１，  ２０１６」タイムスタンプ１０８に基づいて、特定の時間間隔の終点がタイムスタンプ１０６と一致するはずであることを決定する。特定の時間間隔を使用することによって、双方向メディアガイドアプリケーションは、ナレッジグラフ５００が導出されるコーパスの量を限定し、トレンド関連性の識別を促進することができる。プロセス１１００は、１１０６に続く。
【０１２６】
１１０６において、制御回路８０４は、特定の時間間隔の持続時間を決定する。制御回路８０４は、テキストセグメントを分析することによって識別される時間インジケータに基づいて、特定の時間間隔の持続時間を決定してもよい。代替として、制御回路８０４は、特定の時間間隔の持続時間がテキストセグメントのソースに部分的に基づくことを決定してもよい。例えば、制御回路８０４は、１週間であるように特定の時間間隔の持続時間を設定してもよい。この場合、特定の時間間隔は、２０１６年１月５日〜１１日である。プロセス１１００は、次いで、１１０８に続く。１１０８では、制御回路８０４は、第１のコンテキスト用語および特定の時間間隔と関連付けられる第２のナレッジグラフにアクセスする。例えば、制御回路８０４は、２０１６年１月５日〜１１日の１週間からのコーパスから導出され、第１のコンテキスト用語「Ｂｅｒｎｉｅ  Ｓａｎｄｅｒｓ」１０４と関連付けられる、ナレッジグラフ５００にアクセスする。プロセス１１００は、制御回路８０４が、第１の未知の用語の意味であり得る潜在的用語を決定する、１１１０に続く。前述で議論された、制御回路８０４が本決定を実施し得る技法は、ここで適用可能である。例えば、制御回路８０４は、ナレッジグラフ５００から、「Ｈｉｌｌａｒｙ  Ｃｌｉｎｔｏｎ」５１０が第１の未知の用語「Ｃｌｉｎｔｏｎ」１０６の意味であり得る潜在的用語であることを決定してもよい。
【０１２７】
プロセス１１００は、制御回路８０４が、第２のナレッジグラフが第１の未知の用語の意味であり得る１つを上回る潜在的用語を含むかどうかを決定する、１１１２に続く。制御回路８０４は、ブール比較関数を使用し、本決定を実施してもよい。１１１２において、制御回路８０４が、第２のナレッジグラフが第１の未知の用語の意味であり得る１つを上回る潜在的用語を含まないことを決定する場合、プロセス１１００は、１１１４に続く。例えば、制御回路８０４は、ナレッジグラフ５００が第１の未知の用語「Ｃｌｉｎｔｏｎ」１０６の意味であり得る１つを上回る潜在的用語を含まないことを決定してもよい。１１１４において、制御回路８０４は、第２のナレッジグラフが、第１の未知の用語の意味であり得る、いかなる潜在的用語も含まないかどうかを決定する。１１１４において、制御回路８０４が、第２のナレッジグラフが第１の未知の用語の意味であり得る潜在的用語を含まないことを決定する場合、プロセス１１００は、１１１６に続く。例えば、ナレッジグラフ５００が「Ｈｉｌｌａｒｙ  Ｃｌｉｎｔｏｎ」５１０を含むため、制御回路８０４は、ナレッジグラフ５００が第１の未知の用語の意味であり得る潜在的用語を含むことを決定してもよい。１１１６において、制御回路８０４は、潜在的用語が第１の未知の用語の意味であることを決定する。例えば、制御回路８０４は、「Ｈｉｌｌａｒｙ  Ｃｌｉｎｔｏｎ」５１０が第１の未知の用語「Ｃｌｉｎｔｏｎ」１０６の意味であることを決定する。
【０１２８】
１１１４において、制御回路８０４が、第２のナレッジグラフが第１の未知の用語の意味であり得る潜在的用語を含むことを決定する場合、プロセス１１００は、１１１８に続く。加えて、１１１２において、制御回路８０４が、第２のナレッジグラフが第１の未知の用語の意味であり得る１つを上回る潜在的用語を含むことを決定する場合、プロセス１１００は、１１１８に続く。１１１８において、制御回路８０４は、特定の時間間隔の持続時間および特定の時間間隔の位置のうちの少なくとも１つを調節する。プロセス１１００は、１１１８から１１２０に続く。１１２０において、制御回路８０４は、第１のコンテキスト用語および特定の時間間隔と関連付けられる第３のナレッジグラフにアクセスし、第１の未知の用語の意味である潜在的用語を決定する。
【０１２９】
図１１のステップまたは説明は、本開示の任意の他の実施形態とともに使用され得ることが考慮される。加えて、図１１に関して説明されるステップおよび説明は、本開示の目的を促進するように、代替的な順序で、または並行して行われてもよい。例えば、これらのステップはそれぞれ、システムまたは方法の遅延を低減させる、もしくは速度を増加させるように、任意の順序で、または並行して、もしくは同時に実施されてもよい。
【０１３０】
上記で議論されるプロセスは、例証的であり、限定的ではないことが意図される。当業者は、本明細書で議論されるプロセスのステップが、本発明の範囲から逸脱することなく、省略され、修正され、組み合わせられ、および／または並べ替えられ得、任意の付加的ステップが実施され得ることを理解するであろう。より一般的には、上記の開示は、例示的であり、限定的ではないことが意図される。続く請求項のみが、本発明が含むものに関して境界を設定するように意図される。さらに、いずれか１つの実施形態で説明される特徴および制限は、本明細書のいずれかの他の実施形態に適用され得、一実施形態に関するフローチャートまたは実施例は、好適な様式でいずれかの他の実施形態と組み合わせられ得る、異なる順序で行われ得る、または並行して行われ得ることに留意されたい。加えて、本明細書に説明されるシステムおよび方法は、リアルタイムで実施されてもよい。また、上記に説明されるシステムおよび／または方法は、他のシステムならびに／もしくは方法に適用され得る、またはそれらに従って使用され得ることにも留意されたい。
【図１】
2019526131.tif 000003
【図２】
2019526131.tif 000004
【図３】
2019526131.tif 000005
【図４】
2019526131.tif 000006
【図５】
2019526131.tif 000007
【図６】
2019526131.tif 000008
【図７】
2019526131.tif 000009
【図８】
2019526131.tif 000010
【図９】
2019526131.tif 000011
【図１０】
2019526131.tif 000012
【図１１】
2019526131.tif 000013
【国際調査報告】
2019526131.tif 000014
2019526131.tif 000015
2019526131.tif 000016